(57)【要約】【課題】コイルスプリングに起因する振動を確実に抑制できるトルクコンバータ用のロックアップ装置を、提供することにある。【解決手段】このロックアップ装置７は、各対の第１コイルスプリング１７４および各対の第２コイルスプリング２７４が圧縮されている状態において、各対の第１コイルスプリング１７４のいずれか一方の第１コイルスプリングと、各対の第１コイルスプリング１７４のいずれか一方の第１コイルスプリングの内周部に配置された第２コイルスプリング２７４との、少なくともいずれか一方のコイルスプリングを、圧縮不能にすることにより、圧縮可能な第１コイルスプリング１７４および第２コイルスプリング２７４の捩り剛性に応じて、捩り振動を吸収・減衰する。【選択図】図６
2011179515.tif 000002
【特許請求の範囲】
【請求項１】
トルクを伝達するとともに捩り振動を吸収・減衰するためのトルクコンバータのロックアップ装置であって、
入力回転部材と、
出力回転部材と、
前記入力回転部材と前記出力回転部材との相対回転によって回転方向に圧縮される複数対の第１コイルスプリングと、
長さが前記第１コイルスプリングの長さより短く、前記第１コイルスプリングの内周部に配置される第２コイルスプリングと、
を備え、
各対の前記第１コイルスプリングは、互いが直列に配置され、
各対の前記第１コイルスプリングおよび各対の前記第２コイルスプリングが圧縮されている状態において、各対の前記第１コイルスプリングのいずれか一方の前記第１コイルスプリングと、前記いずれか一方の前記第１コイルスプリングの内周部に配置された前記第２コイルスプリングとの、少なくともいずれか一方のコイルスプリングを、圧縮不能にすることにより、圧縮可能な前記第１コイルスプリングおよび前記第２コイルスプリングの捩り剛性に応じて、捩り振動を吸収・減衰する、
トルクコンバータのロックアップ装置。
【請求項２】
各対の前記第１コイルスプリングのいずれか一方の前記第１コイルスプリングと、前記いずれか一方の前記第１コイルスプリングの内周部に配置された前記第２コイルスプリングとの、少なくともいずれか一方のコイルスプリングを、線間密着させることにより、前記いずれか一方の前記第１コイルスプリング、および前記いずれか一方の前記第１コイルスプリングの内周部に配置された前記第２コイルスプリングを、圧縮不能にする、
請求項１に記載のトルクコンバータのロックアップ装置。
【請求項３】
各対の前記第２コイルスプリングは、互いの長さが同じであり、
各対の前記第２コイルスプリングのいずれか一方と、各対の前記第２コイルスプリングのいずれか他方とは、捩り剛性が互いに異なり、
各対の前記第２コイルスプリングのいずれか一方を、線間密着させることにより、前記いずれか一方の前記第１コイルスプリング、および前記いずれか一方の前記第１コイルスプリングの内周部に配置された前記第２コイルスプリングを、圧縮不能にする、
請求項２に記載のトルクコンバータのロックアップ装置。
【請求項４】
各対の前記第１コイルスプリングそれぞれは、捩り剛性が互いに同じであり、
各対の前記第２コイルスプリングそれぞれは、捩り剛性が前記第１コイルスプリングの捩り剛性より小さい、
請求項３に記載のトルクコンバータのロックアップ装置。
【請求項５】
前記入力回転部材と前記出力回転部材との相対回転を規制するための回転規制手段、
をさらに備える請求項１から４のいずれかに記載のトルクコンバータのロックアップ装置。
【発明の詳細な説明】
【技術分野】
【０００１】
本発明は、ロックアップ装置、特に、トルクを伝達するとともに捩り振動を吸収・減衰するためのトルクコンバータのロックアップ装置に関する。
【背景技術】
【０００２】
トルクコンバータには、トルクをフロントカバーからタービンに直接伝達するためのロックアップ装置が設けられている場合が多い。このロックアップ装置は、フロントカバーに摩擦連結可能なピストンと、ピストンに固定されるリティーニングプレートと、リティーニングプレートに支持される複数対のトーションスプリングと、複数のトーションスプリングを介して回転方向にピストンに弾性連結されるドリブンプレートとを有している。ドリブンプレートはタービンに固定されている（特許文献１を参照）。
【０００３】
ここでは、ピストンは、フロントカバーとタービンとの間の空間を軸方向に分割しており、ピストンの外周部に環状に張られた摩擦フェーシングがフロントカバーの摩擦面に押し付けられると、フロントカバーのトルクがロックアップ装置に伝達される。すると、トルクがロックアップ装置からタービンへと伝達される。このときには、ロックアップ装置の外周部に配置された複数のトーションスプリングによって、エンジンから入力されるトルク変動が、吸収・減衰される。
【先行技術文献】
【特許文献】
【０００４】
【特許文献１】特開２００８−１３８７９７
【発明の概要】
【発明が解決しようとする課題】
【０００５】
特許文献１に示されたロックアップ装置（以下、従来のロックアップ装置と呼ぶ）では、複数対のトーションスプリングが圧縮されると、一対のトーションスプリングの捩り特性に基づいて、複数対のトーションスプリングの捩り特性が決定される。言い換えると、複数対のトーションスプリングの捩り特性を決定するためには、一対のトーションスプリングの捩り特性を設定する必要がある。
【０００６】
捩り特性は、一対のトーションスプリングの捩り角度（回転角度）と一対のトーションスプリングが減衰可能なトルク変動量との関係を示したものである。このため、一対のトーションスプリングが圧縮された場合には、一対のトーションスプリングの捩り剛性に対応するトルク変動が減衰される。
【０００７】
従来のロックアップ装置では、捩り特性は線形であるため、この捩り特性を用いて所定のトルク変動を減衰しようとすると、捩り剛性を大きくせざるを得なかった。しかしながら、捩り剛性をあまり大きくしてしまうと、トーションスプリングに起因する振動が発生してしまうおそれがある。
【０００８】
そこで、この問題を解決するために、捩り特性をバイリニア型に設定する構成が、考えられた。捩り特性がバイリニア型である構成では、捩り特性が線形である構成と比較して、トーションスプリングに起因する振動を抑制することができる。しかしながら、トルク変動の目標減衰量が大きくなると、バイリニア型の捩り特性の第１捩り剛性でも、トーションスプリングに起因する振動を抑制しきれないという問題が、発生していた。
【０００９】
一方で、トルク変動の目標減衰量が大きい場合に、トーションスプリングに起因する振動を抑制する目的で、バイリニア型の捩り特性の第１捩り剛性を小さくすると、初期振動は抑制することはできるものの、目標減衰量を確保するために、第２捩り剛性を大きくする必要がある。このため、この場合、第１捩り剛性に対する第２捩り剛性の比が大きくなってしまい、捩り特性の屈曲点およびこの屈曲点を超えた範囲において、新たな振動が発生してしまうおそれがある。すなわち、この場合にも、トーションスプリングに起因する振動を抑制しきれないという問題が、発生してしまっていた。
【００１０】
本発明は、このような問題に鑑みてなされたもので、本発明の目的は、コイルスプリングに起因する振動を確実に抑制できるトルクコンバータ用のロックアップ装置を、提供することにある。
【課題を解決するための手段】
【００１１】
請求項１に係るトルクコンバータ用のロックアップ装置は、トルクを伝達するとともに捩り振動を吸収・減衰するための装置である。このロックアップ装置は、入力回転部材と、出力回転部材と、複数対の第１コイルスプリングと、複数対の第２コイルスプリングとを備えている。
【００１２】
第１コイルスプリングは、入力回転部材と出力回転部材との相対回転によって回転方向に圧縮される。各対の第１コイルスプリングは、互いが直列に配置される。第２コイルスプリングは、長さが第１コイルスプリングの長さより短く、第１コイルスプリングの内周部に配置される。
【００１３】
このロックアップ装置では、エンジンのトルクが、入力回転部材から出力回転部材へと伝達される。このときに、捩り振動が発生した場合、複数対の第１コイルスプリングと、複数対の第２コイルスプリングとによって、この捩り振動が吸収・減衰される。
【００１４】
この場合、まず、各対の第１コイルスプリングの圧縮が開始されると、各対の第１コイルスプリングの捩り剛性に応じて、捩り振動が吸収・減衰される（１段目の捩り特性）。次に、各対の第１コイルスプリングおよび各対の第２コイルスプリングの圧縮が開始されると、各対の第１コイルスプリングおよび各対の第２コイルスプリングの捩り剛性に応じて、捩り振動が吸収・減衰される（２段目の捩り特性）。最後に、各対の第１コイルスプリングおよび各対の第２コイルスプリングが圧縮されている状態において、各対の第１コイルスプリングのいずれか一方の第１コイルスプリングと、この第１コイルスプリングの内周部に配置された第２コイルスプリングとの、少なくともいずれか一方のコイルスプリングを、圧縮不能にすることによって、圧縮可能な第１コイルスプリングおよび第２コイルスプリングの捩り剛性に応じて、捩り振動が吸収・減衰される（３段目の捩り特性）。
【００１５】
本ロックアップ装置では、捩り特性を、多段すなわちトリリニア型に設定することができる。このように、本ロックアップ装置では、捩り特性をトリリニア型に設定することにより、捩り剛性を徐々に大きく設定することができる。特に、１段目の捩り剛性を小さく設定することができるので、捩り角度が小さい場合に発生し得る振動を、抑制することができる。
【００１６】
また、本ロックアップ装置では、捩り特性をトリリニア型に設定することにより、捩り特性をバイリニア型に設定する場合と比較して、捩り剛性の比、たとえば、第１捩り剛性に対する第２捩り剛性の比（Ｎ２／Ｎ１）、および第２捩り剛性に対する第３捩り剛性（Ｎ３／Ｎ２）を小さく設定することができる。これにより、捩り特性における各屈曲点を越えるときに発生する振動を、抑制することができる。
【００１７】
さらに、本ロックアップ装置では、各対の第１コイルスプリングのいずれか一方の第１コイルスプリングと、この第１コイルスプリングの内周部に配置された第２コイルスプリングとの、少なくともいずれか一方のコイルスプリングを、圧縮不能にすることによって、３段目の捩り剛性を形成するので、ロックアップ装置の大きさを変更することなく、トリリニア型の捩り特性を設定することができる。すなわち、既存のロックアップ装置の大きさを変更することなく、トリリニア型の捩り特性を設定することができる。
【００１８】
なお、トリリニア型の捩り特性は、トルク変動の目標減衰量の大小にかかわらず、設定することができる。また、特に、トルク変動の目標減衰量が大きい場合、上記の効果は顕著に表れる
請求項２に係るトルクコンバータ用のロックアップ装置では、請求項１の装置において、各対の第１コイルスプリングのいずれか一方の第１コイルスプリングと、この第１コイルスプリングの内周部に配置された第２コイルスプリングとの、少なくともいずれか一方のコイルスプリングを、線間密着させることにより、各対の第１コイルスプリングのいずれか一方、およびこの第１コイルスプリングの内周部に配置された第２コイルスプリングを、圧縮不能にする。
【００１９】
この場合、各対の第１コイルスプリングおよび各対の第２コイルスプリングが圧縮されている状態において、各対の片側の第１コイルスプリングと、この第１コイルスプリングの内周部に配置された片側の第２コイルスプリングとの、少なくともいずれか一方のコイルスプリングが、線間密着すると、線間密着したコイルスプリングは、圧縮不能になり、捩り特性に寄与しなくなる。すると、圧縮可能な第１コイルスプリングおよび第２コイルスプリングの捩り剛性に応じて、捩り振動が吸収・減衰される（３段目の捩り特性）。
【００２０】
本ロックアップ装置では、各対の片側の第１コイルスプリングと、この片側の第１コイルスプリングの内周部に配置された第２コイルスプリングの少なくともいずれか一方の線間密着によって、トリリニア型の捩り特性を設定することができる。このように、本ロックアップ装置では、第１コイルスプリングおよび第２コイルスプリングの形状（コイルスプリングの全長や線間距離等）と、第１コイルスプリングおよび第２コイルスプリングの捩り剛性とを変更するだけで、トリリニア型の捩り特性を容易に設定することができる。また、このロックアップ装置では、上述した効果も得ることができる。
【００２１】
請求項３に係るトルクコンバータ用のロックアップ装置では、請求項２の装置において、各対の第２コイルスプリングは、互いの長さが同じである。また、各対の第２コイルスプリングのいずれか一方と、各対の第２コイルスプリングのいずれか他方とは、捩り剛性が互いに異なる。さらに、各対の片側の第２コイルスプリングを、線間密着させることにより、各対の第１コイルスプリングのいずれか一方、およびこの第１コイルスプリングの内周部に配置された第２コイルスプリングを、圧縮不能にする。
【００２２】
この場合、各対の第１コイルスプリングおよび各対の第２コイルスプリングが圧縮されている状態において、各対の片側の第２コイルスプリングが線間密着すると、線間密着した第２コイルスプリングは圧縮不能になり、捩り特性に寄与しなくなる。すると、圧縮可能な第１コイルスプリングおよび第２コイルスプリングの捩り剛性に応じて、捩り振動が吸収・減衰される（３段目の捩り特性）。
【００２３】
本ロックアップ装置では、各対の片側の第２コイルスプリングの線間密着によって、トリリニア型の捩り特性を設定することができる。このように、本ロックアップ装置では、第１コイルスプリングおよび第２コイルスプリングの形状（コイルスプリングの全長や線間距離等）と、第１コイルスプリングおよび第２コイルスプリングの捩り剛性とを変更するだけで、トリリニア型の捩り特性を容易に設定することができる。また、このロックアップ装置では、上述した効果も得ることができる。
【００２４】
請求項４に係るトルクコンバータ用のロックアップ装置では、請求項３の装置において、複数の第１コイルスプリングそれぞれの捩り剛性は、同じである。また、複数の第１コイルスプリングそれぞれの内周部に配置された第２コイルスプリングの捩り剛性は、第１コイルスプリングの捩り剛性より小さい。
【００２５】
この場合、複数の第１コイルスプリングそれぞれの捩り剛性を同じに設定し、複数の第１コイルスプリングそれぞれの内周部に配置された第２コイルスプリングの捩り剛性を第１コイルスプリングの捩り剛性より小さく設定することにより、第２コイルスプリングが捩り特性に寄与したときの捩り剛性を、穏やかに変更することができる。すなわち、捩り剛性が急激に変化しない多段特性を、形成することができる。また、このロックアップ装置では、上述した効果も得ることができる。
【００２６】
請求項５に係るトルクコンバータ用のロックアップ装置は、請求項１から４いずれかの装置において、入力回転部材と出力回転部材との相対回転を規制するための回転規制手段を、さらに備えている。
【００２７】
この場合、回転規制手段によって、入力回転部材と出力回転部材との相対回転を規制される。すると、第１コイルスプリングおよび第２コイルスプリングによって捩り振動を吸収・減衰するためのダンパー動作が、停止する。すなわち、回転規制手段によって、３段目の捩り特性の上限が、設定される。このように、回転規制手段によって３段目の捩り特性の上限を設定することにより、捩り角度が所定の大きさ以上になったときに、トルクを、入力回転部材から出力回転部材へと確実に伝達することができる。また、このロックアップ装置では、上述した効果も得ることができる。
【発明の効果】
【００２８】
本発明では、トルクコンバータ用のロックアップ装置において、コイルスプリングに起因する振動を確実に抑制できる。
【図面の簡単な説明】
【００２９】
【図１】本発明の一実施形態によるロックアップ装置を備えたトルクコンバータの断面部分図。
【図２】前記ロックアップ装置の正面部分図。
【図３】前記ロックアップ装置の正面図。
【図４】前記ロックアップ装置のスプリングホルダーの部分外観図。
【図５】前記スプリングホルダーの断面図。
【図６】前記ロックアップ装置のトリリニア型の捩り特性を示す図。
【図７】前記ロックアップ装置のトーションスプリング作動時のモデル図。
【発明を実施するための形態】
【００３０】
図１は、本発明の一実施形態としてのロックアップ装置が採用されたトルクコンバータ１の断面部分図である。図１の左側にはエンジン（図示せず）が配置され、図の右側にトランスミッション（図示せず）が配置されている。図１に示すＯ−Ｏは、トルクコンバータ及びロックアップ装置の回転軸線である。図２はロックアップ装置の正面部分図である。図６は、一対の第１トーションスプリングおよび一対の第２トーションスプリングが作動したときのトリリニア型の捩り特性を示す図である。図７は、捩り特性の各段階で、一対の第１トーションスプリングおよび一対の第２トーションスプリングが作動したときのモデル図である。
【００３１】
［トルクコンバータの全体構成］
図１は、本発明の一実施形態が採用されたトルクコンバータ１の縦断面概略図である。トルクコンバータ１は、エンジンのクランクシャフト（図示しない）からトランスミッションの入力シャフト（図示しない）にトルクを伝達するための装置である。図１の左側に図示しないエンジンが配置され、図１の右側に図示しないトランスミッションが配置されている。図１に示すＯ−Ｏがトルクコンバータ１の回転軸である。また、矢印Ｒ１がトルクコンバータ１の回転方向駆動側を表しており、矢印Ｒ２がその反対側を表している（図３を参照）。
【００３２】
トルクコンバータ１は、主に、フレキシブルプレート（図示しない）とトルクコンバータ本体５とから構成されている。フレキシブルプレートは、円板状の薄い部材からなり、トルクを伝達するとともにクランクシャフトからトルクコンバータ本体５に伝達される曲げ振動を吸収するための部材である。したがって、フレキシブルプレートは、回転方向にはトルク伝達に十分な剛性を有しているが、曲げ方向には剛性が低くなっている。
【００３３】
トルクコンバータ本体５は、３種の羽根車（インペラー２１、タービン２２、ステータ２３）からなるトーラス形状の流体作動室６と、ロックアップ装置７とから構成されている。
【００３４】
フロントカバー１１は、円板状の部材であり、フレキシブルプレートに近接して配置されている。フロントカバー１１の内周端にはセンターボス１６が設けられている。センターボス１６は、軸方向に延びる円筒形状の部材であり、クランクシャフトの中心孔内に挿入されている。
【００３５】
フレキシブルプレートの内周部は複数のボルトによってクランクシャフトの先端面に固定されている。フロントカバー１１の外周側には、円周方向に等間隔で複数のナット１２が固定されている。このナット１２内に螺合するボルトがフレキシブルプレートの外周部を、フロントカバー１１に固定している。
【００３６】
フロントカバー１１の外周部には、軸方向トランスミッション側に延びる外周側筒状部１１ａが形成されている。この外周側筒状部１１ａの先端にインペラー２１のインペラーシェル２６の外周縁が溶接によって固定されている。この結果、フロントカバー１１とインペラー２１とによって、内部に作動油が充填された流体室が形成されている。インペラー２１は、主に、インペラーシェル２６と、その内側に固定された複数のインペラーブレード２７と、インペラーシェル２６の内周部に固定されたインペラーハブ２８とから構成されている。
【００３７】
タービン２２は流体室内でインペラー２１に対して軸方向に対向して配置されている。タービン２２は、主に、タービンシェル３０と、そのインペラー側の面に固定された複数のタービンブレード３１と、タービンシェル３０の内周縁に固定されたタービンハブ３２とから構成されている。タービンシェル３０とタービンハブ３２とは複数のリベット３３によって固定されている。
【００３８】
タービンハブ３２の内周面には、入力シャフトに係合するスプラインが形成されている。これによりタービンハブ３２は入力シャフトと一体回転するようになっている。
【００３９】
ステータ２３は、タービン２２からインペラー２１に戻る作動油の流れを整流するための機構である。ステータ２３は樹脂やアルミ合金等で鋳造により一体に製作された部材である。ステータ２３はインペラー２１の内周部とタービン２２の内周部と間に配置されている。ステータ２３は、主に、環状のステータシェル３５と、シェル３５の外周面に設けられた複数のステータブレード３６とから構成されている。ステータシェル３５はワンウェイクラッチ３７を介して筒状の固定シャフト（図示しない）に支持されている。固定シャフトは入力シャフトの外周面とインペラーハブ２８の内周面との間を延びている。
【００４０】
以上に述べた各羽根車２１，２２，２３の各シェル２６，３０，３５によって、流体室内にトーラス形状の流体作動室６が形成されている。なお、流体室内においてフロントカバー１１と流体作動室６の間には環状の空間９が確保されている。
【００４１】
図に示すワンウェイクラッチ３７はラチェットを用いた構造であるが、ローラやスプラグを用いた構造であってもよい。
【００４２】
フロントカバー１１の内周部とタービンハブ３２との軸方向間には第１スラストベアリング４１が配置されている。この第１スラストベアリング４１が設けられた部分において、半径方向に作動油が連通可能な第１ポート１７が形成されている。第１ポート１７は、入力シャフト内に設けられた油路と、第１油圧室Ａ（後述）と、タービン２２とフロントカバー１１との間の空間内とを連通させている。また、タービンハブ３２とステータ２３の内周部（具体的にはワンウェイクラッチ３７）との間にはスラストブッシュ４２が配置されている。このスラストブッシュ４２が配置された部分において、半径方向両側に作動油が連通可能な第２ポート１８が形成されている。すなわち、第２ポート１８は、入力シャフト及び固定シャフトの間の油路と、流体作動室６とを連通させている。さらに、ステータ２３（具体的にはシェル３５）とインペラー２１（具体的にはインペラーハブ２８）との軸方向間には第２スラストベアリング４３が配置されている。この第２スラストベアリング４３が配置された部分において、半径方向両側に作動油が連通可能な第３ポート１９が形成されている。すなわち、第３ポート１９は、固定シャフト及びインペラーハブ２８との間の油路と、流体作動室６とを連通させている。なお、各油路は、図示しない油圧回路に接続されており、独立して第１〜第３ポート１７〜１９に作動油の供給・排出が可能となっている。
【００４３】
［ロックアップ装置の構造］
図１から図３に示すように、ロックアップ装置７は、タービン２２とフロントカバー１１との間の空間９に配置されており、必要に応じて両者を機械的に連結するための機構である。ロックアップ装置７は、フロントカバー１１とタービン２２との軸方向間の空間に配置されている。ロックアップ装置７は全体が円板状になっており、空間９を概ね軸方向に分割している。ここでは、フロントカバー１１とロックアップ装置７との間の空間を第１油圧室Ａとし、ロックアップ装置７とタービン２２との間の空間を第２油圧室Ｂとする。
【００４４】
ロックアップ装置７は、クラッチ及び弾性連結機構の機能を有し、主に、ピストン７１と、ドライブプレート７２（リティーニングプレート）と、ドリブンプレート７３と、複数のトーションスプリング７４ａ，７４ｂ（第１トーションスプリング１７４、および第２トーションスプリング２７４）と、スプリングホルダー７５とから構成されている。
【００４５】
なお、図３では、一対のトーションスプリング７４ａ，７４ｂ、すなわち一対の第１トーションスプリング１７４ａ，１７４ｂおよび一対の第２トーションスプリング２７４ａ，２７４ｂとにのみ、符号を付している。
【００４６】
ピストン７１は、クラッチ連結・遮断を行うための部材であり、さらには弾性連結機構としてのロックアップ装置７における入力部材として機能する。ピストン７１は中心孔が形成された円板形状である。ピストン７１は空間９を概ね軸方向に分割するように、空間９内の半径全体にわたって延びている。ピストン７１の内周縁には、軸方向エンジン側に延びる内周側筒状部７１ｂが形成されている。内周側筒状部７１ｂはタービンハブ３２のエンジン側の外周面によって回転方向及び軸方向に移動可能に支持されている。なお、ピストン７１は、トランスミッション側のタービンハブ３２に当接することで、軸方向トランスミッション側への移動が、制限されている。
【００４７】
さらに、タービンハブ３２のエンジン側の外周面には内周側筒状部７１ｂの内周面に当接する環状のシールリング３２ｂが設けられている。これにより、ピストン７１の内周縁において軸方向のシールがされている。さらに、ピストン７１の外周側には摩擦連結部７１ｃが形成されている。摩擦連結部７１ｃは、半径方向に所定の長さを有する環状部分であり、軸方向両面が軸方向に対して垂直な面となっている平面形状である。摩擦連結部７１ｃの軸方向エンジン側には環状の摩擦フェーシング７６が張られている。このように、ピストン７１とフロントカバー１１の平坦な摩擦面とによって、ロックアップ装置７のクラッチが構成されている。なお、ピストン７１の外周縁には軸方向に延びる筒状部等は形成されていない。
【００４８】
ドライブプレート７２は、ピストン７１の外周部の軸方向トランスミッション側に配置されている。ドライブプレート７２は板金製の環状の部材である。ドライブプレート７２は、固定部７２ａと、そこから外周側に延びるトルク伝達部７２ｂとから構成されている。固定部７２ａはピストン７１の軸方向トランスミッション側面に当接し、複数のかしめ７１ｄによってピストン７１に固定されている。トルク伝達部７２ｂは固定部７２ａから外周側に延びている。より具体的には、トルク伝達部７２ｂは、半径方向内側から外側に向かって、軸方向トランスミッション側に凸になるように滑らかに湾曲し、次に軸方向エンジン側に凸になるように滑らかに湾曲し、さらに軸方向トランスミッション側に延びている。また、固定部７２ａの外周部軸方向トランスミッション側には、複数の係合部７２ｅが形成されている。係合部７２ｅは、他の部分より軸方向トランスミッション側に突出した部分である。
【００４９】
複数のトルク伝達部７２ｂの回転方向間はそれぞれがばね収容部７２ｄとなっている。この実施形態では、ばね収容部７２ｄは４箇所に形成されている。図３では、１箇所のばね収容部７２ｄにのみ、符号を付している。
【００５０】
ばね収容部７２ｄ内には、円周方向に延びるコイルスプリングであるトーションスプリング７４ａ，７４ｂが収容されている。トーションスプリング７４ａ，７４ｂは、入力部材であるピストン７１と、出力部材であるドリブンプレート７３と回転方向に弾性的に連結するための部材である。トーションスプリング７４ａ，７４ｂは、第１トーションスプリング１７４ａ，１７４ｂおよび第２トーションスプリング２７４ａ，２７４ｂから構成されている。詳細には、各ばね収容部７２ｄには、１対の第１トーションスプリング１７４ａ，１７４ｂが回転方向に直列に作用するように配置されている。また、複数の第１トーションスプリング２７４ａ，２７４ｂそれぞれの捩り剛性が、互いに同じになるように、第１トーションスプリング２７４ａ，２７４ｂは、形成されている。なお、ここでは、全体で合計８個の第１トーションスプリング１７４ａ，１７４ｂが、用いられている。
【００５１】
各ばね収容部７２ｄに配置された１対の第１トーションスプリング１７４ａ，１７４ｂそれぞれの内周部には、第２トーションスプリング２７４ａ，２７４ｂが配置されている。具体的には、第２トーションスプリング２７４ａ，２７４ｂは、第１トーションスプリング１７４ａ，１７４ｂの内周部において回転方向に移動自在に配置されている。全体では、合計８個の第２トーションスプリング２７４ａ，２７４ｂが、用いられている。
【００５２】
なお、ここでは、各ばね収容部７２ｄにおいて、回転方向Ｒ１側のトーションスプリングの符号を、「７４ａ」、「１７４ａ」、および「２７４ａ」とし、回転方向Ｒ２側のトーションスプリングの符号を、「７４ｂ」、「１７４ｂ」、および「２７４ｂ」としている。
【００５３】
また、第２トーションスプリング２７４ａ，２７４ｂの長さが、第１トーションスプリング１７４ａ，１７４ｂの長さより短くなるように、第２トーションスプリング２７４ａ，２７４ｂは、形成されている。また、複数の第２トーションスプリング２７４ａ，２７４ｂそれぞれの長さが同じになるように、第２トーションスプリング２７４ａ，２７４ｂは、形成されている。
【００５４】
さらに、各対の第２トーションスプリング２７４ａ，２７４ｂのいずれか一方の捩り剛性と、各対の第２トーションスプリング２７４ａ，２７４ｂのいずれか他方の捩り剛性とが互いに異なるように、第２トーションスプリング２７４ａ，２７４ｂは、形成されている。たとえば、回転方向Ｒ１側の第２トーションスプリング２７４ａの捩り剛性が、回転方向Ｒ２側の第２トーションスプリング２７４ｂの捩り剛性より小さくなるように、第２トーションスプリング２７４ａ，２７４ｂは、形成されている。
【００５５】
ここでは、第１トーションスプリング１７４ａおよび第２トーションスプリング２７４ａから構成される一組のトーションスプリングは、回転方向に並列に作用する。また、同様に、第１トーションスプリング１７４ｂおよび第２トーションスプリング２７４ｂから構成される一組のトーションスプリングは、回転方向に並列に作用する。そして、これら二組のトーションスプリングは、それぞれが回転方向に直列に作用する。
【００５６】
ドリブンプレート７３は、トーションスプリング７４ａ，７４ｂからのトルクをタービン２２に伝達するための部材である。ドリブンプレート７３は、タービン２２のタービンシェル３０の外周側に設けられる。ドリブンプレート７３は、主に、取り付け部７３ａと、複数の爪７３ｂとから構成されている。取り付け部７３ａは、例えば溶接によってタービンシェル３０に固定されている。複数の爪７３ｂは、取り付け部７３ａの外周縁から軸方向エンジン側に折り曲げられている。爪７３ｂは、ドリブンプレート７２のトルク伝達部７２ｂに対向しており、軸方向エンジン側に凸になるように湾曲したトルク伝達部７２ｂに軸方向トランスミッション側から挿入されている。この状態において、爪７３ｂは、各ばね収容部７２ｄに配置された１対の第１トーションスプリング１７４ａ，１７４ｂの回転方向両端に当接している。
【００５７】
また、ドリブンプレート７３には、ストッパー爪７３ｂが形成されている。ストッパー爪７３ｂは、取り付け部７３ａの内周縁から軸方向エンジン側に延びている。ストッパー爪７３ｂは、隣接するドライブプレート７２の係合部７２ｅの間に、配置されている。これにより、ドライブプレート７２とドリブンプレート７３との相対回転が大きくなり、ストッパー爪７３ｂが回転方向いずれかの係合部７２ｅに当接すると、トーションスプリング７４ａ，７４ｂ（１７４ａ，１７４ｂ，２７４ａ，２７４ｂ）の圧縮すなわちダンパー動作は、停止する。このように、ドライブプレート７２の係合部７２ｅと、ドリブンプレート７３のストッパー爪７３ｂとは、回転規制手段として機能する。言い換えると、回転規制手段は、ドライブプレート７２の係合部７２ｅと、ドリブンプレート７３のストッパー爪７３ｂとから構成されている。
【００５８】
スプリングホルダー７５は、トーションスプリング７４ａ，７４ｂをサポートするためのサポート部材である。具体的には、スプリングホルダー７５は、トーションスプリング７４ａ，７４ｂを半径方向に支持するための部材である。スプリングホルダー７５は、ピストン７１及びドリブンプレート７３に対して相対回転可能に配置されている。また、スプリングホルダー７５は、ドライブプレート７２及びドリブンプレート７３に対して相対回転可能に配置されている。
【００５９】
スプリングホルダー７５は、図４および図５に示すように、主に、支持部１７５と係合部２７５とを有している。支持部１７５は、トーションスプリング７４ａ，７４ｂを支持する部分である。支持部１７５は、外周側支持部１７５ａと、内周側延長部１７５ｂと、連結部（側面支持部）１７５ｃとを有している。
【００６０】
外周側支持部１７５ａは、連結部１７５ｃの外周縁から軸方向トランスミッション側に延びる筒状の部分である。外周側支持部１７５ａは、係合部２７５から回転方向に離反するにつれて、外周端の曲率が連続的に小さくなるように形成されている。そして、外周側支持部１７５ａは、外周側支持部１７５ａの回転方向中央部において、外周端が平面になるように形成されている。このことを言い換えると、外周側支持部１７５ａは、係合部２７５から回転方向に離反するにつれて、外周側支持部１７５ａの外周面から外周側支持部１７５ａの外周端の先端までの半径方向距離ｄが、連続的に小さくなるように、形成されている。
【００６１】
たとえば、図５に示すように外周側支持部１７５ａを回転方向に見た場合、外周側支持部１７５ａの外周端は、係合部２７５から回転方向に離反するにつれて、曲率が連続的に小さくなっている（図５（ｂ）〜図５（ｃ）を参照）。そして、外周側支持部１７５ａの外周端は、外周側支持部１７５ａの回転方向中央部において、平面形状に形成されている（図５（ｄ）を参照）。なお、図５（ｂ）、図５（ｃ）、および図５（ｄ）それぞれは、図４のＶ２断面、図４のＶ３断面、図４のＶ４断面に対応している。
【００６２】
このような外周側支持部１７５ａは、第１トーションスプリング１７４ａ，１７４ｂの外周側に近接して配置されており、第１トーションスプリング１７４ａ，１７４ｂの外周側を支持する。また、外周側支持部１７５ａは、ドライブプレート７２のトルク伝達部７２ｂの筒状部分より外周側に配置されている。さらに、また、外周側支持部１７５ａは、ドリブンプレート７３の爪７３ｂよりさらに外周側に配置されている。
【００６３】
内周側延長部１７５ｂは、第１トーションスプリング１７４ａ，１７４ｂの内周側から半径方向内方に延びる部分である。詳細には、内周側延長部１７５ｂは、連結部１７５ｃの内周縁から第１トーションスプリング１７４ａ，１７４ｂ側に向けて湾曲し、第１トーションスプリング１７４ａ，１７４ｂの内周側から離反する方向に延びる部分である。言い換えると、内周側延長部１７５ｂは、連結部１７５ｃの内周縁から軸方向トランスミッション側に湾曲し入力シャフト側に延びる部分である。
【００６４】
内周側延長部１７５ｂは、ピストン７１とドライブプレート７２との間に配置されている。言い換えると、内周側延長部１７５ｂすなわちスプリングホルダー７５の内周側は、ピストン７１とドライブプレート７２とによって、位置決めされている。詳細には、ドライブプレート７２のエンジン側の突起７２ｃが、スプリングホルダー７５の内周面、たとえば内周側延長部１７５ｂの先端部１７５ｄに嵌合（インロー接合）されている。このようにして、スプリングホルダー７５は、ピストン７１とドライブプレート７２との間において位置決めされる。
【００６５】
連結部１７５ｃは、概ね円板状の部分であり、ピストン７１の摩擦連結部７１ｃの軸方向トランスミッション側に当接して配置されている。また、連結部１７５ｃは、ピストン７１と、第１トーションスプリング１７４ａ，１７４ｂとの軸方向間に配置されている。また、連結部１７５ｃは、ピストン７１とドライブプレート７２との軸方向間に配置されている。詳細には、連結部１７５ｃは、ピストン７１の摩擦連結部７１ｃとドライブプレート７２のトルク伝達部７２ｂとの軸方向間に配置されている。また、連結部１７５ｃは、ピストン７１とドリブンプレート７３との軸方向間に配置されている。詳細には、連結部１７５ｃは、ピストン７１とドリブンプレート７３の爪７３ｂとの軸方向間に配置されている。
【００６６】
このような構造によって、スプリングホルダー７５は、遠心力によって半径方向外側に移動するトーションスプリング７４ａ，７４ｂを支持することができる。
【００６７】
係合部２７５は、第１トーションスプリング１７４ａ，１７４ｂに回転方向で係合する部分である。係合部２７５は、支持部１７５に一体に形成されている。係合部２７５は、湾曲部２７５ａと係止部２７５ｂ，２７５ｃとを、有している。
【００６８】
湾曲部２７５ａは、隣接する外周側支持部１７５ａと隣接する連結部１７５ｃとを連結する部分である。湾曲部２７５ａは、外周側支持部１７５ａおよび連結部１７５ｃに一体に形成されている。
【００６９】
係止部２７５ｂ，２７５ｃは、回転方向において、第１トーションスプリング１７４ａ，１７４ｂを係止する部分である。係止部２７５ｂ，２７５ｃは、湾曲部２７５ａの両端部を内方に折り曲げ加工することによって形成される。たとえば、係止部２７５ｂは、湾曲部２７５ａの外周端を軸方向エンジン側に折り曲げられた爪部分である。また、係止部２７５ｃは、湾曲部２７５ａの内周端を軸方向トランスミッション側に切り起こされた爪部分である。これら係止部２７５ｂ，２７５ｃは、各ばね収容部７２ｄ内の１対の第１トーションスプリング１７４ａ，１７４ｂの回転方向間に配置されている。
【００７０】
このようなスプリングホルダー７５は、縦断面において軸方向片側が開いたＣ字形状となっている。また、スプリングホルダー７５は、中間フロート体として機能している。ここでは、係合部２７５たとえば係止部２７５ｂ，２７５ｃを介して、第１トーションスプリング１７４ａ，１７４ｂからスプリングホルダー７５へと、トルクが伝達される。なお、第２トーションスプリング２７４ａ，２７４ｂが圧縮された場合、第１トーションスプリング１７４ａ，１７４ｂだけでなく、第２トーションスプリング２７４ａ，２７４ｂからも、スプリングホルダー７５は、トルク伝達を受ける。
【００７１】
［トルクコンバータの動作］
エンジン始動直後には、第１ポート１７及び第３ポート１９からトルクコンバータ本体５内に作動油が供給され、第２ポート１８から作動油が排出される。第１ポート１７から供給された作動油は第１油圧室Ａを外周側に流れ、第２油圧室Ｂを通過して流体作動室６内に流れ込む。このため、第１油圧室Ａと第２油圧室Ｂとの油圧差によってピストン７１は軸方向エンジン側に移動している。すなわち摩擦フェーシング７６はフロントカバー１１から離れ、ロックアップが解除されている。このようにロックアップ解除されているときには、フロントカバー１１とタービン２２との間のトルク伝達は、インペラー２１とタービン２２との間の流体駆動によって行われている。
【００７２】
［ロックアップ装置の動作］
トルクコンバータ１の速度比が上がり、入力シャフトが一定の回転数に達すると、第１ポート１７から第１油圧室Ａの作動油が排出される。この結果、第１油圧室Ａと第２油圧室Ｂとの油圧差によって、ピストン７１がフロントカバー１１側に移動させられ、摩擦フェーシング７６がフロントカバー１１の平坦な摩擦面に押し付けられる。この結果、フロントカバー１１のトルクは、ピストン７１から、ドライブプレート７２及びトーションスプリング７４ａ，７４ｂを介して、ドリブンプレート７３に伝達される。さらに、トルクは、ドリブンプレート７３からタービン２２に伝達される。すなわち、フロントカバー１１が機械的にタービン２２に連結され、フロントカバー１１のトルクがタービン２２を介して直接入力シャフトに出力される。
【００７３】
なお、以上のように捩り振動が入力されてトーションスプリング７４ａ，７４ｂが圧縮を繰り返す際には、遠心力によってトーションスプリング７４ａ，７４ｂは半径方向外側に移動し、スプリングホルダー７５の外周側支持部１７５ａにおいて摺動する。しかし、スプリングホルダー７５は、トーションスプリング７４ａ，７４ｂとともに回転方向に移動する部材であるため、両部材間での摺動抵抗は大幅に低減し、捩り振動減衰性能は十分に発揮される。
【００７４】
［ロックアップ装置の捩り振動減衰特性］
以上に述べたロックアップ連結状態において、ロックアップ装置７は、トルクを伝達するとともにフロントカバー１１から入力される捩り振動を吸収・減衰する。具体的には、図６に示すように、フロントカバー１１からロックアップ装置７に捩り振動が入力され、ドライブプレート７２とドリブンプレート７３との間の捩り角度θが生じると、第１トーションスプリング１７４ａ，１７４ｂが、ドライブプレート７２とドリブンプレート７３との間で回転方向に圧縮される。この状態を、第１の圧縮状態Ｊ１と呼ぶ。具体的には、第１トーションスプリング１７４ａ，１７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７５】
この状態において捩り角度θが大きくなると、各対の２つの第２トーションスプリング２７４ａ，２７４ｂが、ドライブプレート７２とドリブンプレート７３とに当接する。この状態が、図６における第１屈曲点Ｐ１に相当する。すると、各対の第１トーションスプリング１７４ａ，１７４ｂおよび各対の第２トーションスプリング２７４ａ，２７４ｂが、ドライブプレート７２とドリブンプレート７３との間で回転方向に圧縮される。この状態を、第２の圧縮状態Ｊ２と呼ぶ。具体的には、第１トーションスプリング１７４ａ，１７４ｂおよび第２トーションスプリング２７４ａ，２７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７６】
この状態において捩り角度θがさらに大きくなると、各対の２つの第２トーションスプリング２７４ａ，２７４ｂのいずれか一方、すなわち捩り剛性が低い方の第２トーションスプリング２７４ａが、線間密着する。この状態が、図６における第２屈曲点Ｐ２に相当する。ここで、捩り剛性が低い方の第２トーションスプリング２７４ａが、線間密着すると、線間密着した第２トーションスプリング２７４ａだけでなく、この第２トーションスプリング２７４ａを内周部に有する第１トーションスプリング１７４ａも、圧縮不能になる。すると、各対の２つの第２トーションスプリング２７４ａ，２７４ｂのいずれか他方、すなわち捩り剛性が高い方の第２トーションスプリング２７４ｂと、この第２トーションスプリング２７４ｂを内周部に有する各対の第１トーションスプリング１７４ｂとが、ドライブプレート７２とドリブンプレート７３との間で回転方向に圧縮される。この状態を、第３の圧縮状態Ｊ３と呼ぶ。具体的には、第１トーションスプリング１７４ｂおよび第２トーションスプリング２７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７７】
この状態において捩り角度θがさらに大きくなると、最終的には、ドリブンプレート７３のストッパー爪７３ｂが、ドライブプレート７２の係合部７２ｅに当接する。この状態が、図６における第３屈曲点Ｐ３の状態に相当する。すると、動作中の各対の第１トーションスプリング１７４ｂと、動作中の各対の第２トーションスプリング２７４ｂとの圧縮が、停止する。この状態を、圧縮停止状態Ｐ３と呼ぶ。すなわち、トーションスプリング７４ａ，７４ｂ（１７４ａ，１７４ｂ，２７４ａ，２７４ｂ）のダンパー動作が、停止する。
【００７８】
上記のように、トーションスプリング７４ａ，７４ｂ（１７４ａ，１７４ｂ，２７４ａ，２７４ｂ）が動作する場合の捩り特性を、以下に説明する。なお、説明を容易にするために、ここでは、一対のトーションスプリング７４ａ，７４ｂ（１７４ａ，１７４ｂ，２７４ａ，２７４ｂ）の捩り特性用いて、説明を行う。
【００７９】
図６および図７に示すように、第１の圧縮状態Ｊ１では、直列に配置された２つの第１トーションスプリング１７４ａ，１７４ｂの捩り剛性Ｎ１１（＝１／｛（１／Ｋ１＋１／Ｋ１）｝＝１／（２／Ｋ１））が、系の捩り剛性Ｎ１として設定される。すると、この系の捩り剛性Ｎ１に基づいて、捩り特性の第１勾配Ｄ１が、設定される。次に、第２の圧縮状態Ｊ２では、並列に配置された一組の第１トーションスプリング１７４ａおよび第２トーションスプリング２７４ａの捩り剛性Ｎ２１（＝Ｋ１＋Ｋ２）と、並列に配置されたもう一組の第１トーションスプリング１７４ｂおよび第２トーションスプリング２７４ｂの捩り剛性Ｎ２２（＝Ｋ１＋Ｋ２’；Ｋ２＜Ｋ２’）との合成により、系の捩り剛性Ｎ２（＝１／（１／Ｎ２１＋１／Ｎ２２）＝１／〔１／｛１／（Ｋ１＋Ｋ２）｝＋１／｛１／（Ｋ１＋Ｋ２’）｝〕）が設定される。すると、この系の捩り剛性Ｎ２に基づいて、捩り特性の第２勾配Ｄ２が、設定される。続いて、第２トーションスプリング２７４ａが線間密着し、第２の圧縮状態Ｊ２から第３の圧縮状態Ｊ３へと移行すると、並列に配置された一組の第１トーションスプリング１７４ｂおよび第２トーションスプリング２７４ｂの捩り剛性Ｎ３３（＝Ｋ１＋Ｋ２’）が、系の捩り剛性Ｎ３として設定される。すると、この系の捩り剛性Ｎ３に基づいて、捩り特性の第３勾配Ｄ３が、設定される。このようにして、トリリニア型の捩り特性が、設定される。
【００８０】
最後に、第３の圧縮状態Ｊ３から圧縮停止状態Ｐ３へと移行すると、捩り特性の捩り角度θは、最大捩り角度θに達する。捩り角度θが最大捩り角度θに達したときのトルクは、捩り特性における最大トルクになる。
【００８１】
ここに示した捩り特性は、一対の第１トーションスプリング１７４ａ，１７４ｂ、およびこれら一対の第１トーションスプリングの内周部に配置される一対の第２トーションスプリング２７４ａ，２７４ｂの捩り特性である。このため、ロックアップ装置７全体としての捩り特性、すなわち複数対の第１トーションスプリング１７４ａ，１７４ｂ、および複数対の第２トーションスプリング２７４ａ，２７４ｂの捩り特性は、ここに示した捩り特性に設定される。
【００８２】
［捩り振動減衰特性の有利な効果］
本ロックアップ装置７では、捩り特性を、多段すなわちトリリニア型に設定することができる。このように捩り特性をトリリニア型に設定することにより、捩り角度θに応じて変化する捩り剛性Ｎ１，Ｎ２，Ｎ３を、急激に変更することなく、徐々に大きくなるように、設定することができる。特に、１段目の捩り剛性Ｎ１を小さく設定することができるので、捩り角度θが小さい場合に発生し得る振動を、抑制することができる。
【００８３】
詳細には、本ロックアップ装置７では、捩り特性をトリリニア型に設定することにより、捩り特性をバイリニア型に設定する場合と比較して、捩り剛性の比、たとえば、第１捩り剛性に対する第２捩り剛性の比（Ｎ２／Ｎ１）、および第２捩り剛性に対する第３捩り剛性（Ｎ３／Ｎ２）を小さく設定することができる。これにより、捩り特性における各屈曲点を越えるときに発生する振動を、抑制することができる。
【００８４】
また、本ロックアップ装置７では、各対の第１トーションスプリング１７４ａ，１７４ｂのいずれか一方の第１トーションスプリングと、この第１トーションスプリングの内周部に配置された第２トーションスプリング２７４ａ，２７４ｂとの、少なくともいずれか一方のトーションスプリングを、圧縮不能にすることによって、３段目の捩り剛性を形成するので、ロックアップ装置の大きさを変更することなく、トリリニア型の捩り特性を設定することができる。
【００８５】
また、本ロックアップ装置７では、各対の片側の第２トーションスプリング２７４ａ，２７４ｂの線間密着によって、トリリニア型の捩り特性を設定することができる。このように、本ロックアップ装置７では、第１トーションスプリング１７４ａ，１７４ｂおよび第２トーションスプリング２７４ａ，２７４ｂの形状（トーションスプリングの全長や線間距離等）と、第１トーションスプリング１７４ａ，１７４ｂおよび第２トーションスプリング２７４ａ，２７４ｂの捩り剛性とを変更するだけで、トリリニア型の捩り特性を容易に設定することができる。
【００８６】
また、本ロックアップ装置７では、複数の第１トーションスプリング１７４ａ，１７４ｂそれぞれの捩り剛性を同じに設定し、複数の第１トーションスプリング１７４ａ，１７４ｂそれぞれの内周部に配置された第２トーションスプリング２７４ａ，２７４ｂの捩り剛性を第１トーションスプリング１７４ａ，１７４ｂの捩り剛性より小さく設定することにより、第２トーションスプリング２７４ａ，２７４ｂが捩り特性に寄与したときの捩り剛性を、穏やかに変更することができる。すなわち、捩り剛性が急激に変化しない多段特性を、形成することができる。
【００８７】
さらに、本ロックアップ装置７では、回転規制手段７２ｅ、７３ｃによって、３段目の捩り特性の上限が、設定される。このように、回転規制手段７２ｅ、７３ｃによって３段目の捩り特性の上限を設定することにより、捩り角度θが所定の大きさ以上になったときに、トルクを、入力側から出力側へと確実に伝達することができる。
【００８８】
［スプリングホルダーの有利な効果］
本スプリングホルダー７５では、外周側支持部１７５ａの外周端が係合部から回転方向に離反するにつれて、外周側支持部１７５ａの外周端の曲率が連続的に小さくなっているので、遠心力の発生に伴いスプリングホルダー７５に発生し得る応力集中を、低減することができる。特に、外周側支持部１７５ａの回転方向中央部においては、外周側支持部１７５ａの外周端が平面形状に形成されているので、遠心力の発生に伴いスプリングホルダー７５に発生し得る応力集中を、確実に低減することができる。
【００８９】
また、本スプリングホルダー７５では、スプリングホルダー７５の外周側支持部１７５ａの外周端の曲率の小さい部分や、外周側支持部１７５ａの回転方向中央部の平面部分から、ロックアップ装置７を容易に組み立てることができる。
【００９０】
また、本スプリングホルダー７５では、連結部１７５ｃが、ピストン７１と、トーションスプリング７４ａ，７４ｂとの軸方向間に配置されているので、連結部１７５ｃが座屈しづらくなり、スプリングホルダー７５の強度を向上することができる。
【００９１】
また、本スプリングホルダー７５では、内周側延長部１７５ｂが、連結部１７５ｃからトーションスプリング７４ａ，７４ｂ側に向けて湾曲した部分によって、座屈しづらくなり、スプリングホルダー７５の強度を向上することができる。また、内周側延長部１７５ｂは、トーションスプリング７４ａ，７４ｂの内周側から離反する方向に延びているので、スプリングホルダー７５の半径方向の曲げ剛性を、増大することができる。
【００９２】
さらに、本スプリングホルダー７５では、スプリングホルダー７５の係合部２７５には、湾曲部２７５ａの両端部を内方に折り曲げた係止部２７５ｂ，２７５ｃが形成されているので、この係止部２７５ｂ，２７５ｃをトーションスプリング７４ａ，７４ｂは確実に係止することができる。また、係止部２７５ｂ，２７５ｃは、湾曲部２７５ａの両端部を内方に折り曲げることにより形成されているので、係止部２７５ｂ，２７５ｃが座屈しづらくなり、スプリングホルダー７５の強度を向上することができる。そして、係止部２７５ｂ，２７５ｃの半径方向の曲げ剛性を、増大することができる。
【００９３】
［他の実施形態］
（ａ）前記実施形態では、第２トーションスプリング２７４ａの線間密着によって、第２の圧縮状態Ｊ２から第３の圧縮状態Ｊ３へと移行する場合の例を示したが、このような圧縮状態の移行は、第１トーションスプリング１７４ａ，１７４ｂの線間密着によっても実現することができる。たとえば、対をなす第１トーションスプリング１７４ａ，１７４ｂのいずれか一方の捩り剛性と、対をなす第１トーションスプリング１７４ａ，１７４ｂのいずれか他方の捩り剛性とを、異なる剛性に設定する。そして、第２の圧縮状態Ｊ２において、対をなす第１トーションスプリング１７４ａ，１７４ｂのいずれか一方に線間密着を発生させることにより、圧縮状態を、第２の圧縮状態Ｊ２から第３の圧縮状態Ｊ３へと移行することができる。すなわち、捩り特性の第３勾配Ｄ３を設定することができる。このようにしても、トリリニア型の捩り特性を、設定することができる。
【産業上の利用可能性】
【００９４】
本発明は、トルクを伝達するとともに捩り振動を吸収・減衰するためのトルクコンバータのロックアップ装置に、利用可能である。
【符号の説明】
【００９５】
７  ロックアップ装置
７１  ピストン
７２  ドライブプレート
７３  ドリブンプレート
７４，７４ａ，７４ｂ  トーションスプリング
１７４，１７４ａ，１７４ｂ  第１トーションスプリング
２７４，２７４ａ，２７４ｂ  第２トーションスプリング
７５  スプリングホルダー
１７５  支持部
１７５ａ  外周側支持部
１７５ｃ  側面支持部
１７５ｂ  内周側延長部
２７５  係合部
２７５ａ  湾曲部
２７５ｂ，２７５ｃ  係止部
７２ｅ，７３ｃ  回転規制手段
Ｄ１  捩り特性の第１勾配
Ｄ２  捩り特性の第２勾配
Ｄ３  捩り特性の第３勾配
【図１】
2011179515.tif 000003
【図２】
2011179515.tif 000004
【図３】
2011179515.tif 000005
【図４】
2011179515.tif 000006
【図５】
2011179515.tif 000007
【図６】
2011179515.tif 000008
【図７】
2011179515.tif 000009
【手続補正書】
【提出日】平成23年1月12日(2011.1.12)
【手続補正１】
【補正対象書類名】明細書
【補正対象項目名】００３３
【補正方法】変更
【補正の内容】
【００３３】
トルクコンバータ本体５は、フロントカバー１１と、３種の羽根車（インペラー２１、タービン２２、ステータ２３）からなるトーラス形状の流体作動室６と、ロックアップ装置７とから構成されている。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
トルクを伝達するとともに捩り振動を吸収・減衰するためのトルクコンバータのロックアップ装置であって、
入力回転部材と、
出力回転部材と、
前記入力回転部材と前記出力回転部材との相対回転によって回転方向に圧縮される複数対の第１コイルスプリングと、
長さが前記第１コイルスプリングの長さより短く、前記第１コイルスプリングの内周部に配置される第２コイルスプリングと、
を備え、
各対の前記第１コイルスプリングは、互いが直列に配置され、
各対の前記第２コイルスプリングは、互いの長さが同じであり、
各対の前記第２コイルスプリングのいずれか一方と、各対の前記第２コイルスプリングのいずれか他方とは、捩り剛性が互いに異なり、
各対の前記第１コイルスプリングおよび各対の前記第２コイルスプリングが圧縮されている状態において、各対の前記第１コイルスプリングのいずれか一方の前記第１コイルスプリングの内周部に配置された前記第２コイルスプリングを、線間密着させ、前記いずれか一方の前記第１コイルスプリング、および前記いずれか一方の前記第１コイルスプリングの内周部に配置された前記第２コイルスプリングを、圧縮不能にすることにより、圧縮可能な前記第１コイルスプリングおよび前記第２コイルスプリングの捩り剛性に応じて、捩り振動を吸収・減衰する、
トルクコンバータのロックアップ装置。
【請求項２】
各対の前記第１コイルスプリングそれぞれは、捩り剛性が互いに同じであり、
各対の前記第２コイルスプリングそれぞれは、捩り剛性が前記第１コイルスプリングの捩り剛性より小さい、
請求項１に記載のトルクコンバータのロックアップ装置。
【請求項３】
前記入力回転部材と前記出力回転部材との相対回転を規制するための回転規制手段、
をさらに備える請求項１又は２に記載のトルクコンバータのロックアップ装置。
【手続補正２】
【補正対象書類名】明細書
【補正対象項目名】全文
【補正方法】変更
【補正の内容】
【発明の詳細な説明】
【技術分野】
【０００１】
本発明は、ロックアップ装置、特に、トルクを伝達するとともに捩り振動を吸収・減衰するためのトルクコンバータのロックアップ装置に関する。
【背景技術】
【０００２】
トルクコンバータには、トルクをフロントカバーからタービンに直接伝達するためのロックアップ装置が設けられている場合が多い。このロックアップ装置は、フロントカバーに摩擦連結可能なピストンと、ピストンに固定されるリティーニングプレートと、リティーニングプレートに支持される複数対のトーションスプリングと、複数のトーションスプリングを介して回転方向にピストンに弾性連結されるドリブンプレートとを有している。ドリブンプレートはタービンに固定されている（特許文献１を参照）。
【０００３】
ここでは、ピストンは、フロントカバーとタービンとの間の空間を軸方向に分割しており、ピストンの外周部に環状に張られた摩擦フェーシングがフロントカバーの摩擦面に押し付けられると、フロントカバーのトルクがロックアップ装置に伝達される。すると、トルクがロックアップ装置からタービンへと伝達される。このときには、ロックアップ装置の外周部に配置された複数のトーションスプリングによって、エンジンから入力されるトルク変動が、吸収・減衰される。
【先行技術文献】
【特許文献】
【０００４】
【特許文献１】特開２００８−１３８７９７
【発明の概要】
【発明が解決しようとする課題】
【０００５】
特許文献１に示されたロックアップ装置（以下、従来のロックアップ装置と呼ぶ）では、複数対のトーションスプリングが圧縮されると、一対のトーションスプリングの捩り特性に基づいて、複数対のトーションスプリングの捩り特性が決定される。言い換えると、複数対のトーションスプリングの捩り特性を決定するためには、一対のトーションスプリングの捩り特性を設定する必要がある。
【０００６】
捩り特性は、一対のトーションスプリングの捩り角度（回転角度）と一対のトーションスプリングが減衰可能なトルク変動量との関係を示したものである。このため、一対のトーションスプリングが圧縮された場合には、一対のトーションスプリングの捩り剛性に対応するトルク変動が減衰される。
【０００７】
従来のロックアップ装置では、捩り特性は線形であるため、この捩り特性を用いて所定のトルク変動を減衰しようとすると、捩り剛性を大きくせざるを得なかった。しかしながら、捩り剛性をあまり大きくしてしまうと、トーションスプリングに起因する振動が発生してしまうおそれがある。
【０００８】
そこで、この問題を解決するために、捩り特性をバイリニア型に設定する構成が、考えられた。捩り特性がバイリニア型である構成では、捩り特性が線形である構成と比較して、トーションスプリングに起因する振動を抑制することができる。しかしながら、トルク変動の目標減衰量が大きくなると、バイリニア型の捩り特性の第１捩り剛性でも、トーションスプリングに起因する振動を抑制しきれないという問題が、発生していた。
【０００９】
一方で、トルク変動の目標減衰量が大きい場合に、トーションスプリングに起因する振動を抑制する目的で、バイリニア型の捩り特性の第１捩り剛性を小さくすると、初期振動は抑制することはできるものの、目標減衰量を確保するために、第２捩り剛性を大きくする必要がある。このため、この場合、第１捩り剛性に対する第２捩り剛性の比が大きくなってしまい、捩り特性の屈曲点およびこの屈曲点を超えた範囲において、新たな振動が発生してしまうおそれがある。すなわち、この場合にも、トーションスプリングに起因する振動を抑制しきれないという問題が、発生してしまっていた。
【００１０】
本発明は、このような問題に鑑みてなされたもので、本発明の目的は、コイルスプリングに起因する振動を確実に抑制できるトルクコンバータ用のロックアップ装置を、提供することにある。
【課題を解決するための手段】
【００１１】
請求項１に係るトルクコンバータ用のロックアップ装置は、トルクを伝達するとともに捩り振動を吸収・減衰するための装置である。このロックアップ装置は、入力回転部材と、出力回転部材と、複数対の第１コイルスプリングと、複数対の第２コイルスプリングとを備えている。
【００１２】
第１コイルスプリングは、入力回転部材と出力回転部材との相対回転によって回転方向に圧縮される。各対の第１コイルスプリングは、互いが直列に配置される。第２コイルスプリングは、長さが第１コイルスプリングの長さより短く、第１コイルスプリングの内周部に配置される。
【００１３】
このロックアップ装置では、エンジンのトルクが、入力回転部材から出力回転部材へと伝達される。このときに、捩り振動が発生した場合、複数対の第１コイルスプリングと、複数対の第２コイルスプリングとによって、この捩り振動が吸収・減衰される。
【００１４】
この場合、まず、各対の第１コイルスプリングの圧縮が開始されると、各対の第１コイルスプリングの捩り剛性に応じて、捩り振動が吸収・減衰される（１段目の捩り特性）。次に、各対の第１コイルスプリングおよび各対の第２コイルスプリングの圧縮が開始されると、各対の第１コイルスプリングおよび各対の第２コイルスプリングの捩り剛性に応じて、捩り振動が吸収・減衰される（２段目の捩り特性）。最後に、各対の第１コイルスプリングおよび各対の第２コイルスプリングが圧縮されている状態において、各対の第１コイルスプリングのいずれか一方の第１コイルスプリングと、この第１コイルスプリングの内周部に配置された第２コイルスプリングとの、少なくともいずれか一方のコイルスプリングを、圧縮不能にすることによって、圧縮可能な第１コイルスプリングおよび第２コイルスプリングの捩り剛性に応じて、捩り振動が吸収・減衰される（３段目の捩り特性）。
【００１５】
本ロックアップ装置では、捩り特性を、多段すなわちトリリニア型に設定することができる。このように、本ロックアップ装置では、捩り特性をトリリニア型に設定することにより、捩り剛性を徐々に大きく設定することができる。特に、１段目の捩り剛性を小さく設定することができるので、捩り角度が小さい場合に発生し得る振動を、抑制することができる。
【００１６】
また、本ロックアップ装置では、捩り特性をトリリニア型に設定することにより、捩り特性をバイリニア型に設定する場合と比較して、捩り剛性の比、たとえば、第１捩り剛性に対する第２捩り剛性の比（Ｎ２／Ｎ１）、および第２捩り剛性に対する第３捩り剛性（Ｎ３／Ｎ２）を小さく設定することができる。これにより、捩り特性における各屈曲点を越えるときに発生する振動を、抑制することができる。
【００１７】
さらに、本ロックアップ装置では、各対の第１コイルスプリングのいずれか一方の第１コイルスプリングと、この第１コイルスプリングの内周部に配置された第２コイルスプリングとの、少なくともいずれか一方のコイルスプリングを、圧縮不能にすることによって、３段目の捩り剛性を形成するので、ロックアップ装置の大きさを変更することなく、トリリニア型の捩り特性を設定することができる。すなわち、既存のロックアップ装置の大きさを変更することなく、トリリニア型の捩り特性を設定することができる。
【００１８】
なお、トリリニア型の捩り特性は、トルク変動の目標減衰量の大小にかかわらず、設定することができる。また、特に、トルク変動の目標減衰量が大きい場合、上記の効果は顕著に表れる
詳細には、本トルクコンバータ用のロックアップ装置では、各対の第１コイルスプリングのいずれか一方の第１コイルスプリングと、この第１コイルスプリングの内周部に配置された第２コイルスプリングとの、少なくともいずれか一方のコイルスプリングを、線間密着させることにより、各対の第１コイルスプリングのいずれか一方、およびこの第１コイルスプリングの内周部に配置された第２コイルスプリングを、圧縮不能にする。
【００１９】
この場合、各対の第１コイルスプリングおよび各対の第２コイルスプリングが圧縮されている状態において、各対の片側の第１コイルスプリングと、この第１コイルスプリングの内周部に配置された片側の第２コイルスプリングとの、少なくともいずれか一方のコイルスプリングが、線間密着すると、線間密着したコイルスプリングは、圧縮不能になり、捩り特性に寄与しなくなる。すると、圧縮可能な第１コイルスプリングおよび第２コイルスプリングの捩り剛性に応じて、捩り振動が吸収・減衰される（３段目の捩り特性）。
【００２０】
本ロックアップ装置では、各対の片側の第１コイルスプリングと、この片側の第１コイルスプリングの内周部に配置された第２コイルスプリングの少なくともいずれか一方の線間密着によって、トリリニア型の捩り特性を設定することができる。このように、本ロックアップ装置では、第１コイルスプリングおよび第２コイルスプリングの形状（コイルスプリングの全長や線間距離等）と、第１コイルスプリングおよび第２コイルスプリングの捩り剛性とを変更するだけで、トリリニア型の捩り特性を容易に設定することができる。また、このロックアップ装置では、上述した効果も得ることができる。
【００２１】
より詳細には、本トルクコンバータ用のロックアップ装置では、各対の第２コイルスプリングは、互いの長さが同じである。また、各対の第２コイルスプリングのいずれか一方と、各対の第２コイルスプリングのいずれか他方とは、捩り剛性が互いに異なる。さらに、各対の片側の第２コイルスプリングを、線間密着させることにより、各対の第１コイルスプリングのいずれか一方、およびこの第１コイルスプリングの内周部に配置された第２コイルスプリングを、圧縮不能にする。
【００２２】
この場合、各対の第１コイルスプリングおよび各対の第２コイルスプリングが圧縮されている状態において、各対の片側の第２コイルスプリングが線間密着すると、線間密着した第２コイルスプリングは圧縮不能になり、捩り特性に寄与しなくなる。すると、圧縮可能な第１コイルスプリングおよび第２コイルスプリングの捩り剛性に応じて、捩り振動が吸収・減衰される（３段目の捩り特性）。
【００２３】
本ロックアップ装置では、各対の片側の第２コイルスプリングの線間密着によって、トリリニア型の捩り特性を設定することができる。このように、本ロックアップ装置では、第１コイルスプリングおよび第２コイルスプリングの形状（コイルスプリングの全長や線間距離等）と、第１コイルスプリングおよび第２コイルスプリングの捩り剛性とを変更するだけで、トリリニア型の捩り特性を容易に設定することができる。また、このロックアップ装置では、上述した効果も得ることができる。
【００２４】
請求項２に係るトルクコンバータ用のロックアップ装置では、請求項１の装置において、複数の第１コイルスプリングそれぞれの捩り剛性は、同じである。また、複数の第１コイルスプリングそれぞれの内周部に配置された第２コイルスプリングの捩り剛性は、第１コイルスプリングの捩り剛性より小さい。
【００２５】
この場合、複数の第１コイルスプリングそれぞれの捩り剛性を同じに設定し、複数の第１コイルスプリングそれぞれの内周部に配置された第２コイルスプリングの捩り剛性を第１コイルスプリングの捩り剛性より小さく設定することにより、第２コイルスプリングが捩り特性に寄与したときの捩り剛性を、穏やかに変更することができる。すなわち、捩り剛性が急激に変化しない多段特性を、形成することができる。また、このロックアップ装置では、上述した効果も得ることができる。
【００２６】
請求項３に係るトルクコンバータ用のロックアップ装置は、請求項１又は２の装置において、入力回転部材と出力回転部材との相対回転を規制するための回転規制手段を、さらに備えている。
【００２７】
この場合、回転規制手段によって、入力回転部材と出力回転部材との相対回転を規制される。すると、第１コイルスプリングおよび第２コイルスプリングによって捩り振動を吸収・減衰するためのダンパー動作が、停止する。すなわち、回転規制手段によって、３段目の捩り特性の上限が、設定される。このように、回転規制手段によって３段目の捩り特性の上限を設定することにより、捩り角度が所定の大きさ以上になったときに、トルクを、入力回転部材から出力回転部材へと確実に伝達することができる。また、このロックアップ装置では、上述した効果も得ることができる。
【発明の効果】
【００２８】
本発明では、トルクコンバータ用のロックアップ装置において、コイルスプリングに起因する振動を確実に抑制できる。
【図面の簡単な説明】
【００２９】
【図１】本発明の一実施形態によるロックアップ装置を備えたトルクコンバータの断面部分図。
【図２】前記ロックアップ装置の正面部分図。
【図３】前記ロックアップ装置の正面図。
【図４】前記ロックアップ装置のスプリングホルダーの部分外観図。
【図５】前記スプリングホルダーの断面図。
【図６】前記ロックアップ装置のトリリニア型の捩り特性を示す図。
【図７】前記ロックアップ装置のトーションスプリング作動時のモデル図。
【発明を実施するための形態】
【００３０】
図１は、本発明の一実施形態としてのロックアップ装置が採用されたトルクコンバータ１の断面部分図である。図１の左側にはエンジン（図示せず）が配置され、図の右側にトランスミッション（図示せず）が配置されている。図１に示すＯ−Ｏは、トルクコンバータ及びロックアップ装置の回転軸線である。図２はロックアップ装置の正面部分図である。図６は、一対の第１トーションスプリングおよび一対の第２トーションスプリングが作動したときのトリリニア型の捩り特性を示す図である。図７は、捩り特性の各段階で、一対の第１トーションスプリングおよび一対の第２トーションスプリングが作動したときのモデル図である。
【００３１】
［トルクコンバータの全体構成］
図１は、本発明の一実施形態が採用されたトルクコンバータ１の縦断面概略図である。トルクコンバータ１は、エンジンのクランクシャフト（図示しない）からトランスミッションの入力シャフト（図示しない）にトルクを伝達するための装置である。図１の左側に図示しないエンジンが配置され、図１の右側に図示しないトランスミッションが配置されている。図１に示すＯ−Ｏがトルクコンバータ１の回転軸である。また、矢印Ｒ１がトルクコンバータ１の回転方向駆動側を表しており、矢印Ｒ２がその反対側を表している（図３を参照）。
【００３２】
トルクコンバータ１は、主に、フレキシブルプレート（図示しない）とトルクコンバータ本体５とから構成されている。フレキシブルプレートは、円板状の薄い部材からなり、トルクを伝達するとともにクランクシャフトからトルクコンバータ本体５に伝達される曲げ振動を吸収するための部材である。したがって、フレキシブルプレートは、回転方向にはトルク伝達に十分な剛性を有しているが、曲げ方向には剛性が低くなっている。
【００３３】
トルクコンバータ本体５は、フロントカバー１１と、３種の羽根車（インペラー２１、タービン２２、ステータ２３）からなるトーラス形状の流体作動室６と、ロックアップ装置７とから構成されている。
【００３４】
フロントカバー１１は、円板状の部材であり、フレキシブルプレートに近接して配置されている。フロントカバー１１の内周端にはセンターボス１６が設けられている。センターボス１６は、軸方向に延びる円筒形状の部材であり、クランクシャフトの中心孔内に挿入されている。
【００３５】
フレキシブルプレートの内周部は複数のボルトによってクランクシャフトの先端面に固定されている。フロントカバー１１の外周側には、円周方向に等間隔で複数のナット１２が固定されている。このナット１２内に螺合するボルトがフレキシブルプレートの外周部を、フロントカバー１１に固定している。
【００３６】
フロントカバー１１の外周部には、軸方向トランスミッション側に延びる外周側筒状部１１ａが形成されている。この外周側筒状部１１ａの先端にインペラー２１のインペラーシェル２６の外周縁が溶接によって固定されている。この結果、フロントカバー１１とインペラー２１とによって、内部に作動油が充填された流体室が形成されている。インペラー２１は、主に、インペラーシェル２６と、その内側に固定された複数のインペラーブレード２７と、インペラーシェル２６の内周部に固定されたインペラーハブ２８とから構成されている。
【００３７】
タービン２２は流体室内でインペラー２１に対して軸方向に対向して配置されている。タービン２２は、主に、タービンシェル３０と、そのインペラー側の面に固定された複数のタービンブレード３１と、タービンシェル３０の内周縁に固定されたタービンハブ３２とから構成されている。タービンシェル３０とタービンハブ３２とは複数のリベット３３によって固定されている。
【００３８】
タービンハブ３２の内周面には、入力シャフトに係合するスプラインが形成されている。これによりタービンハブ３２は入力シャフトと一体回転するようになっている。
【００３９】
ステータ２３は、タービン２２からインペラー２１に戻る作動油の流れを整流するための機構である。ステータ２３は樹脂やアルミ合金等で鋳造により一体に製作された部材である。ステータ２３はインペラー２１の内周部とタービン２２の内周部と間に配置されている。ステータ２３は、主に、環状のステータシェル３５と、シェル３５の外周面に設けられた複数のステータブレード３６とから構成されている。ステータシェル３５はワンウェイクラッチ３７を介して筒状の固定シャフト（図示しない）に支持されている。固定シャフトは入力シャフトの外周面とインペラーハブ２８の内周面との間を延びている。
【００４０】
以上に述べた各羽根車２１，２２，２３の各シェル２６，３０，３５によって、流体室内にトーラス形状の流体作動室６が形成されている。なお、流体室内においてフロントカバー１１と流体作動室６の間には環状の空間９が確保されている。
【００４１】
図に示すワンウェイクラッチ３７はラチェットを用いた構造であるが、ローラやスプラグを用いた構造であってもよい。
【００４２】
フロントカバー１１の内周部とタービンハブ３２との軸方向間には第１スラストベアリング４１が配置されている。この第１スラストベアリング４１が設けられた部分において、半径方向に作動油が連通可能な第１ポート１７が形成されている。第１ポート１７は、入力シャフト内に設けられた油路と、第１油圧室Ａ（後述）と、タービン２２とフロントカバー１１との間の空間内とを連通させている。また、タービンハブ３２とステータ２３の内周部（具体的にはワンウェイクラッチ３７）との間にはスラストブッシュ４２が配置されている。このスラストブッシュ４２が配置された部分において、半径方向両側に作動油が連通可能な第２ポート１８が形成されている。すなわち、第２ポート１８は、入力シャフト及び固定シャフトの間の油路と、流体作動室６とを連通させている。さらに、ステータ２３（具体的にはシェル３５）とインペラー２１（具体的にはインペラーハブ２８）との軸方向間には第２スラストベアリング４３が配置されている。この第２スラストベアリング４３が配置された部分において、半径方向両側に作動油が連通可能な第３ポート１９が形成されている。すなわち、第３ポート１９は、固定シャフト及びインペラーハブ２８との間の油路と、流体作動室６とを連通させている。なお、各油路は、図示しない油圧回路に接続されており、独立して第１〜第３ポート１７〜１９に作動油の供給・排出が可能となっている。
【００４３】
［ロックアップ装置の構造］
図１から図３に示すように、ロックアップ装置７は、タービン２２とフロントカバー１１との間の空間９に配置されており、必要に応じて両者を機械的に連結するための機構である。ロックアップ装置７は、フロントカバー１１とタービン２２との軸方向間の空間に配置されている。ロックアップ装置７は全体が円板状になっており、空間９を概ね軸方向に分割している。ここでは、フロントカバー１１とロックアップ装置７との間の空間を第１油圧室Ａとし、ロックアップ装置７とタービン２２との間の空間を第２油圧室Ｂとする。
【００４４】
ロックアップ装置７は、クラッチ及び弾性連結機構の機能を有し、主に、ピストン７１と、ドライブプレート７２（リティーニングプレート）と、ドリブンプレート７３と、複数のトーションスプリング７４ａ，７４ｂ（第１トーションスプリング１７４、および第２トーションスプリング２７４）と、スプリングホルダー７５とから構成されている。
【００４５】
なお、図３では、一対のトーションスプリング７４ａ，７４ｂ、すなわち一対の第１トーションスプリング１７４ａ，１７４ｂおよび一対の第２トーションスプリング２７４ａ，２７４ｂとにのみ、符号を付している。
【００４６】
ピストン７１は、クラッチ連結・遮断を行うための部材であり、さらには弾性連結機構としてのロックアップ装置７における入力部材として機能する。ピストン７１は中心孔が形成された円板形状である。ピストン７１は空間９を概ね軸方向に分割するように、空間９内の半径全体にわたって延びている。ピストン７１の内周縁には、軸方向エンジン側に延びる内周側筒状部７１ｂが形成されている。内周側筒状部７１ｂはタービンハブ３２のエンジン側の外周面によって回転方向及び軸方向に移動可能に支持されている。なお、ピストン７１は、トランスミッション側のタービンハブ３２に当接することで、軸方向トランスミッション側への移動が、制限されている。
【００４７】
さらに、タービンハブ３２のエンジン側の外周面には内周側筒状部７１ｂの内周面に当接する環状のシールリング３２ｂが設けられている。これにより、ピストン７１の内周縁において軸方向のシールがされている。さらに、ピストン７１の外周側には摩擦連結部７１ｃが形成されている。摩擦連結部７１ｃは、半径方向に所定の長さを有する環状部分であり、軸方向両面が軸方向に対して垂直な面となっている平面形状である。摩擦連結部７１ｃの軸方向エンジン側には環状の摩擦フェーシング７６が張られている。このように、ピストン７１とフロントカバー１１の平坦な摩擦面とによって、ロックアップ装置７のクラッチが構成されている。なお、ピストン７１の外周縁には軸方向に延びる筒状部等は形成されていない。
【００４８】
ドライブプレート７２は、ピストン７１の外周部の軸方向トランスミッション側に配置されている。ドライブプレート７２は板金製の環状の部材である。ドライブプレート７２は、固定部７２ａと、そこから外周側に延びるトルク伝達部７２ｂとから構成されている。固定部７２ａはピストン７１の軸方向トランスミッション側面に当接し、複数のかしめ７１ｄによってピストン７１に固定されている。トルク伝達部７２ｂは固定部７２ａから外周側に延びている。より具体的には、トルク伝達部７２ｂは、半径方向内側から外側に向かって、軸方向トランスミッション側に凸になるように滑らかに湾曲し、次に軸方向エンジン側に凸になるように滑らかに湾曲し、さらに軸方向トランスミッション側に延びている。また、固定部７２ａの外周部軸方向トランスミッション側には、複数の係合部７２ｅが形成されている。係合部７２ｅは、他の部分より軸方向トランスミッション側に突出した部分である。
【００４９】
複数のトルク伝達部７２ｂの回転方向間はそれぞれがばね収容部７２ｄとなっている。この実施形態では、ばね収容部７２ｄは４箇所に形成されている。図３では、１箇所のばね収容部７２ｄにのみ、符号を付している。
【００５０】
ばね収容部７２ｄ内には、円周方向に延びるコイルスプリングであるトーションスプリング７４ａ，７４ｂが収容されている。トーションスプリング７４ａ，７４ｂは、入力部材であるピストン７１と、出力部材であるドリブンプレート７３と回転方向に弾性的に連結するための部材である。トーションスプリング７４ａ，７４ｂは、第１トーションスプリング１７４ａ，１７４ｂおよび第２トーションスプリング２７４ａ，２７４ｂから構成されている。詳細には、各ばね収容部７２ｄには、１対の第１トーションスプリング１７４ａ，１７４ｂが回転方向に直列に作用するように配置されている。また、複数の第１トーションスプリング２７４ａ，２７４ｂそれぞれの捩り剛性が、互いに同じになるように、第１トーションスプリング２７４ａ，２７４ｂは、形成されている。なお、ここでは、全体で合計８個の第１トーションスプリング１７４ａ，１７４ｂが、用いられている。
【００５１】
各ばね収容部７２ｄに配置された１対の第１トーションスプリング１７４ａ，１７４ｂそれぞれの内周部には、第２トーションスプリング２７４ａ，２７４ｂが配置されている。具体的には、第２トーションスプリング２７４ａ，２７４ｂは、第１トーションスプリング１７４ａ，１７４ｂの内周部において回転方向に移動自在に配置されている。全体では、合計８個の第２トーションスプリング２７４ａ，２７４ｂが、用いられている。
【００５２】
なお、ここでは、各ばね収容部７２ｄにおいて、回転方向Ｒ１側のトーションスプリングの符号を、「７４ａ」、「１７４ａ」、および「２７４ａ」とし、回転方向Ｒ２側のトーションスプリングの符号を、「７４ｂ」、「１７４ｂ」、および「２７４ｂ」としている。
【００５３】
また、第２トーションスプリング２７４ａ，２７４ｂの長さが、第１トーションスプリング１７４ａ，１７４ｂの長さより短くなるように、第２トーションスプリング２７４ａ，２７４ｂは、形成されている。また、複数の第２トーションスプリング２７４ａ，２７４ｂそれぞれの長さが同じになるように、第２トーションスプリング２７４ａ，２７４ｂは、形成されている。
【００５４】
さらに、各対の第２トーションスプリング２７４ａ，２７４ｂのいずれか一方の捩り剛性と、各対の第２トーションスプリング２７４ａ，２７４ｂのいずれか他方の捩り剛性とが互いに異なるように、第２トーションスプリング２７４ａ，２７４ｂは、形成されている。たとえば、回転方向Ｒ１側の第２トーションスプリング２７４ａの捩り剛性が、回転方向Ｒ２側の第２トーションスプリング２７４ｂの捩り剛性より小さくなるように、第２トーションスプリング２７４ａ，２７４ｂは、形成されている。
【００５５】
ここでは、第１トーションスプリング１７４ａおよび第２トーションスプリング２７４ａから構成される一組のトーションスプリングは、回転方向に並列に作用する。また、同様に、第１トーションスプリング１７４ｂおよび第２トーションスプリング２７４ｂから構成される一組のトーションスプリングは、回転方向に並列に作用する。そして、これら二組のトーションスプリングは、それぞれが回転方向に直列に作用する。
【００５６】
ドリブンプレート７３は、トーションスプリング７４ａ，７４ｂからのトルクをタービン２２に伝達するための部材である。ドリブンプレート７３は、タービン２２のタービンシェル３０の外周側に設けられる。ドリブンプレート７３は、主に、取り付け部７３ａと、複数の爪７３ｂとから構成されている。取り付け部７３ａは、例えば溶接によってタービンシェル３０に固定されている。複数の爪７３ｂは、取り付け部７３ａの外周縁から軸方向エンジン側に折り曲げられている。爪７３ｂは、ドリブンプレート７２のトルク伝達部７２ｂに対向しており、軸方向エンジン側に凸になるように湾曲したトルク伝達部７２ｂに軸方向トランスミッション側から挿入されている。この状態において、爪７３ｂは、各ばね収容部７２ｄに配置された１対の第１トーションスプリング１７４ａ，１７４ｂの回転方向両端に当接している。
【００５７】
また、ドリブンプレート７３には、ストッパー爪７３ｂが形成されている。ストッパー爪７３ｂは、取り付け部７３ａの内周縁から軸方向エンジン側に延びている。ストッパー爪７３ｂは、隣接するドライブプレート７２の係合部７２ｅの間に、配置されている。これにより、ドライブプレート７２とドリブンプレート７３との相対回転が大きくなり、ストッパー爪７３ｂが回転方向いずれかの係合部７２ｅに当接すると、トーションスプリング７４ａ，７４ｂ（１７４ａ，１７４ｂ，２７４ａ，２７４ｂ）の圧縮すなわちダンパー動作は、停止する。このように、ドライブプレート７２の係合部７２ｅと、ドリブンプレート７３のストッパー爪７３ｂとは、回転規制手段として機能する。言い換えると、回転規制手段は、ドライブプレート７２の係合部７２ｅと、ドリブンプレート７３のストッパー爪７３ｂとから構成されている。
【００５８】
スプリングホルダー７５は、トーションスプリング７４ａ，７４ｂをサポートするためのサポート部材である。具体的には、スプリングホルダー７５は、トーションスプリング７４ａ，７４ｂを半径方向に支持するための部材である。スプリングホルダー７５は、ピストン７１及びドリブンプレート７３に対して相対回転可能に配置されている。また、スプリングホルダー７５は、ドライブプレート７２及びドリブンプレート７３に対して相対回転可能に配置されている。
【００５９】
スプリングホルダー７５は、図４および図５に示すように、主に、支持部１７５と係合部２７５とを有している。支持部１７５は、トーションスプリング７４ａ，７４ｂを支持する部分である。支持部１７５は、外周側支持部１７５ａと、内周側延長部１７５ｂと、連結部（側面支持部）１７５ｃとを有している。
【００６０】
外周側支持部１７５ａは、連結部１７５ｃの外周縁から軸方向トランスミッション側に延びる筒状の部分である。外周側支持部１７５ａは、係合部２７５から回転方向に離反するにつれて、外周端の曲率が連続的に小さくなるように形成されている。そして、外周側支持部１７５ａは、外周側支持部１７５ａの回転方向中央部において、外周端が平面になるように形成されている。このことを言い換えると、外周側支持部１７５ａは、係合部２７５から回転方向に離反するにつれて、外周側支持部１７５ａの外周面から外周側支持部１７５ａの外周端の先端までの半径方向距離ｄが、連続的に小さくなるように、形成されている。
【００６１】
たとえば、図５に示すように外周側支持部１７５ａを回転方向に見た場合、外周側支持部１７５ａの外周端は、係合部２７５から回転方向に離反するにつれて、曲率が連続的に小さくなっている（図５（ｂ）〜図５（ｃ）を参照）。そして、外周側支持部１７５ａの外周端は、外周側支持部１７５ａの回転方向中央部において、平面形状に形成されている（図５（ｄ）を参照）。なお、図５（ｂ）、図５（ｃ）、および図５（ｄ）それぞれは、図４のＶ２断面、図４のＶ３断面、図４のＶ４断面に対応している。
【００６２】
このような外周側支持部１７５ａは、第１トーションスプリング１７４ａ，１７４ｂの外周側に近接して配置されており、第１トーションスプリング１７４ａ，１７４ｂの外周側を支持する。また、外周側支持部１７５ａは、ドライブプレート７２のトルク伝達部７２ｂの筒状部分より外周側に配置されている。さらに、また、外周側支持部１７５ａは、ドリブンプレート７３の爪７３ｂよりさらに外周側に配置されている。
【００６３】
内周側延長部１７５ｂは、第１トーションスプリング１７４ａ，１７４ｂの内周側から半径方向内方に延びる部分である。詳細には、内周側延長部１７５ｂは、連結部１７５ｃの内周縁から第１トーションスプリング１７４ａ，１７４ｂ側に向けて湾曲し、第１トーションスプリング１７４ａ，１７４ｂの内周側から離反する方向に延びる部分である。言い換えると、内周側延長部１７５ｂは、連結部１７５ｃの内周縁から軸方向トランスミッション側に湾曲し入力シャフト側に延びる部分である。
【００６４】
内周側延長部１７５ｂは、ピストン７１とドライブプレート７２との間に配置されている。言い換えると、内周側延長部１７５ｂすなわちスプリングホルダー７５の内周側は、ピストン７１とドライブプレート７２とによって、位置決めされている。詳細には、ドライブプレート７２のエンジン側の突起７２ｃが、スプリングホルダー７５の内周面、たとえば内周側延長部１７５ｂの先端部１７５ｄに嵌合（インロー接合）されている。このようにして、スプリングホルダー７５は、ピストン７１とドライブプレート７２との間において位置決めされる。
【００６５】
連結部１７５ｃは、概ね円板状の部分であり、ピストン７１の摩擦連結部７１ｃの軸方向トランスミッション側に当接して配置されている。また、連結部１７５ｃは、ピストン７１と、第１トーションスプリング１７４ａ，１７４ｂとの軸方向間に配置されている。また、連結部１７５ｃは、ピストン７１とドライブプレート７２との軸方向間に配置されている。詳細には、連結部１７５ｃは、ピストン７１の摩擦連結部７１ｃとドライブプレート７２のトルク伝達部７２ｂとの軸方向間に配置されている。また、連結部１７５ｃは、ピストン７１とドリブンプレート７３との軸方向間に配置されている。詳細には、連結部１７５ｃは、ピストン７１とドリブンプレート７３の爪７３ｂとの軸方向間に配置されている。
【００６６】
このような構造によって、スプリングホルダー７５は、遠心力によって半径方向外側に移動するトーションスプリング７４ａ，７４ｂを支持することができる。
【００６７】
係合部２７５は、第１トーションスプリング１７４ａ，１７４ｂに回転方向で係合する部分である。係合部２７５は、支持部１７５に一体に形成されている。係合部２７５は、湾曲部２７５ａと係止部２７５ｂ，２７５ｃとを、有している。
【００６８】
湾曲部２７５ａは、隣接する外周側支持部１７５ａと隣接する連結部１７５ｃとを連結する部分である。湾曲部２７５ａは、外周側支持部１７５ａおよび連結部１７５ｃに一体に形成されている。
【００６９】
係止部２７５ｂ，２７５ｃは、回転方向において、第１トーションスプリング１７４ａ，１７４ｂを係止する部分である。係止部２７５ｂ，２７５ｃは、湾曲部２７５ａの両端部を内方に折り曲げ加工することによって形成される。たとえば、係止部２７５ｂは、湾曲部２７５ａの外周端を軸方向エンジン側に折り曲げられた爪部分である。また、係止部２７５ｃは、湾曲部２７５ａの内周端を軸方向トランスミッション側に切り起こされた爪部分である。これら係止部２７５ｂ，２７５ｃは、各ばね収容部７２ｄ内の１対の第１トーションスプリング１７４ａ，１７４ｂの回転方向間に配置されている。
【００７０】
このようなスプリングホルダー７５は、縦断面において軸方向片側が開いたＣ字形状となっている。また、スプリングホルダー７５は、中間フロート体として機能している。ここでは、係合部２７５たとえば係止部２７５ｂ，２７５ｃを介して、第１トーションスプリング１７４ａ，１７４ｂからスプリングホルダー７５へと、トルクが伝達される。なお、第２トーションスプリング２７４ａ，２７４ｂが圧縮された場合、第１トーションスプリング１７４ａ，１７４ｂだけでなく、第２トーションスプリング２７４ａ，２７４ｂからも、スプリングホルダー７５は、トルク伝達を受ける。
【００７１】
［トルクコンバータの動作］
エンジン始動直後には、第１ポート１７及び第３ポート１９からトルクコンバータ本体５内に作動油が供給され、第２ポート１８から作動油が排出される。第１ポート１７から供給された作動油は第１油圧室Ａを外周側に流れ、第２油圧室Ｂを通過して流体作動室６内に流れ込む。このため、第１油圧室Ａと第２油圧室Ｂとの油圧差によってピストン７１は軸方向エンジン側に移動している。すなわち摩擦フェーシング７６はフロントカバー１１から離れ、ロックアップが解除されている。このようにロックアップ解除されているときには、フロントカバー１１とタービン２２との間のトルク伝達は、インペラー２１とタービン２２との間の流体駆動によって行われている。
【００７２】
［ロックアップ装置の動作］
トルクコンバータ１の速度比が上がり、入力シャフトが一定の回転数に達すると、第１ポート１７から第１油圧室Ａの作動油が排出される。この結果、第１油圧室Ａと第２油圧室Ｂとの油圧差によって、ピストン７１がフロントカバー１１側に移動させられ、摩擦フェーシング７６がフロントカバー１１の平坦な摩擦面に押し付けられる。この結果、フロントカバー１１のトルクは、ピストン７１から、ドライブプレート７２及びトーションスプリング７４ａ，７４ｂを介して、ドリブンプレート７３に伝達される。さらに、トルクは、ドリブンプレート７３からタービン２２に伝達される。すなわち、フロントカバー１１が機械的にタービン２２に連結され、フロントカバー１１のトルクがタービン２２を介して直接入力シャフトに出力される。
【００７３】
なお、以上のように捩り振動が入力されてトーションスプリング７４ａ，７４ｂが圧縮を繰り返す際には、遠心力によってトーションスプリング７４ａ，７４ｂは半径方向外側に移動し、スプリングホルダー７５の外周側支持部１７５ａにおいて摺動する。しかし、スプリングホルダー７５は、トーションスプリング７４ａ，７４ｂとともに回転方向に移動する部材であるため、両部材間での摺動抵抗は大幅に低減し、捩り振動減衰性能は十分に発揮される。
【００７４】
［ロックアップ装置の捩り振動減衰特性］
以上に述べたロックアップ連結状態において、ロックアップ装置７は、トルクを伝達するとともにフロントカバー１１から入力される捩り振動を吸収・減衰する。具体的には、図６に示すように、フロントカバー１１からロックアップ装置７に捩り振動が入力され、ドライブプレート７２とドリブンプレート７３との間の捩り角度θが生じると、第１トーションスプリング１７４ａ，１７４ｂが、ドライブプレート７２とドリブンプレート７３との間で回転方向に圧縮される。この状態を、第１の圧縮状態Ｊ１と呼ぶ。具体的には、第１トーションスプリング１７４ａ，１７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７５】
この状態において捩り角度θが大きくなると、各対の２つの第２トーションスプリング２７４ａ，２７４ｂが、ドライブプレート７２とドリブンプレート７３とに当接する。この状態が、図６における第１屈曲点Ｐ１に相当する。すると、各対の第１トーションスプリング１７４ａ，１７４ｂおよび各対の第２トーションスプリング２７４ａ，２７４ｂが、ドライブプレート７２とドリブンプレート７３との間で回転方向に圧縮される。この状態を、第２の圧縮状態Ｊ２と呼ぶ。具体的には、第１トーションスプリング１７４ａ，１７４ｂおよび第２トーションスプリング２７４ａ，２７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７６】
この状態において捩り角度θがさらに大きくなると、各対の２つの第２トーションスプリング２７４ａ，２７４ｂのいずれか一方、すなわち捩り剛性が低い方の第２トーションスプリング２７４ａが、線間密着する。この状態が、図６における第２屈曲点Ｐ２に相当する。ここで、捩り剛性が低い方の第２トーションスプリング２７４ａが、線間密着すると、線間密着した第２トーションスプリング２７４ａだけでなく、この第２トーションスプリング２７４ａを内周部に有する第１トーションスプリング１７４ａも、圧縮不能になる。すると、各対の２つの第２トーションスプリング２７４ａ，２７４ｂのいずれか他方、すなわち捩り剛性が高い方の第２トーションスプリング２７４ｂと、この第２トーションスプリング２７４ｂを内周部に有する各対の第１トーションスプリング１７４ｂとが、ドライブプレート７２とドリブンプレート７３との間で回転方向に圧縮される。この状態を、第３の圧縮状態Ｊ３と呼ぶ。具体的には、第１トーションスプリング１７４ｂおよび第２トーションスプリング２７４ｂは、ドライブプレート７２のトルク伝達部７２ｂとドリブンプレート７３の爪７３ｂとの間で回転方向に圧縮される。このとき、スプリングホルダー７５は、トーションスプリング７４ａ，７４ｂによって圧縮方向に移動し、ドライブプレート７２及びドリブンプレート７３と相対回転する。
【００７７】
この状態において捩り角度θがさらに大きくなると、最終的には、ドリブンプレート７３のストッパー爪７３ｂが、ドライブプレート７２の係合部７２ｅに当接する。この状態が、図６における第３屈曲点Ｐ３の状態に相当する。すると、動作中の各対の第１トーションスプリング１７４ｂと、動作中の各対の第２トーションスプリング２７４ｂとの圧縮が、停止する。この状態を、圧縮停止状態Ｐ３と呼ぶ。すなわち、トーションスプリング７４ａ，７４ｂ（１７４ａ，１７４ｂ，２７４ａ，２７４ｂ）のダンパー動作が、停止する。
【００７８】
上記のように、トーションスプリング７４ａ，７４ｂ（１７４ａ，１７４ｂ，２７４ａ，２７４ｂ）が動作する場合の捩り特性を、以下に説明する。なお、説明を容易にするために、ここでは、一対のトーションスプリング７４ａ，７４ｂ（１７４ａ，１７４ｂ，２７４ａ，２７４ｂ）の捩り特性用いて、説明を行う。
【００７９】
図６および図７に示すように、第１の圧縮状態Ｊ１では、直列に配置された２つの第１トーションスプリング１７４ａ，１７４ｂの捩り剛性Ｎ１１（＝１／｛（１／Ｋ１＋１／Ｋ１）｝＝１／（２／Ｋ１））が、系の捩り剛性Ｎ１として設定される。すると、この系の捩り剛性Ｎ１に基づいて、捩り特性の第１勾配Ｄ１が、設定される。次に、第２の圧縮状態Ｊ２では、並列に配置された一組の第１トーションスプリング１７４ａおよび第２トーションスプリング２７４ａの捩り剛性Ｎ２１（＝Ｋ１＋Ｋ２）と、並列に配置されたもう一組の第１トーションスプリング１７４ｂおよび第２トーションスプリング２７４ｂの捩り剛性Ｎ２２（＝Ｋ１＋Ｋ２’；Ｋ２＜Ｋ２’）との合成により、系の捩り剛性Ｎ２（＝１／（１／Ｎ２１＋１／Ｎ２２）＝１／〔１／｛１／（Ｋ１＋Ｋ２）｝＋１／｛１／（Ｋ１＋Ｋ２’）｝〕）が設定される。すると、この系の捩り剛性Ｎ２に基づいて、捩り特性の第２勾配Ｄ２が、設定される。続いて、第２トーションスプリング２７４ａが線間密着し、第２の圧縮状態Ｊ２から第３の圧縮状態Ｊ３へと移行すると、並列に配置された一組の第１トーションスプリング１７４ｂおよび第２トーションスプリング２７４ｂの捩り剛性Ｎ３３（＝Ｋ１＋Ｋ２’）が、系の捩り剛性Ｎ３として設定される。すると、この系の捩り剛性Ｎ３に基づいて、捩り特性の第３勾配Ｄ３が、設定される。このようにして、トリリニア型の捩り特性が、設定される。
【００８０】
最後に、第３の圧縮状態Ｊ３から圧縮停止状態Ｐ３へと移行すると、捩り特性の捩り角度θは、最大捩り角度θに達する。捩り角度θが最大捩り角度θに達したときのトルクは、捩り特性における最大トルクになる。
【００８１】
ここに示した捩り特性は、一対の第１トーションスプリング１７４ａ，１７４ｂ、およびこれら一対の第１トーションスプリングの内周部に配置される一対の第２トーションスプリング２７４ａ，２７４ｂの捩り特性である。このため、ロックアップ装置７全体としての捩り特性、すなわち複数対の第１トーションスプリング１７４ａ，１７４ｂ、および複数対の第２トーションスプリング２７４ａ，２７４ｂの捩り特性は、ここに示した捩り特性に設定される。
【００８２】
［捩り振動減衰特性の有利な効果］
本ロックアップ装置７では、捩り特性を、多段すなわちトリリニア型に設定することができる。このように捩り特性をトリリニア型に設定することにより、捩り角度θに応じて変化する捩り剛性Ｎ１，Ｎ２，Ｎ３を、急激に変更することなく、徐々に大きくなるように、設定することができる。特に、１段目の捩り剛性Ｎ１を小さく設定することができるので、捩り角度θが小さい場合に発生し得る振動を、抑制することができる。
【００８３】
詳細には、本ロックアップ装置７では、捩り特性をトリリニア型に設定することにより、捩り特性をバイリニア型に設定する場合と比較して、捩り剛性の比、たとえば、第１捩り剛性に対する第２捩り剛性の比（Ｎ２／Ｎ１）、および第２捩り剛性に対する第３捩り剛性（Ｎ３／Ｎ２）を小さく設定することができる。これにより、捩り特性における各屈曲点を越えるときに発生する振動を、抑制することができる。
【００８４】
また、本ロックアップ装置７では、各対の第１トーションスプリング１７４ａ，１７４ｂのいずれか一方の第１トーションスプリングと、この第１トーションスプリングの内周部に配置された第２トーションスプリング２７４ａ，２７４ｂとの、少なくともいずれか一方のトーションスプリングを、圧縮不能にすることによって、３段目の捩り剛性を形成するので、ロックアップ装置の大きさを変更することなく、トリリニア型の捩り特性を設定することができる。
【００８５】
また、本ロックアップ装置７では、各対の片側の第２トーションスプリング２７４ａ，２７４ｂの線間密着によって、トリリニア型の捩り特性を設定することができる。このように、本ロックアップ装置７では、第１トーションスプリング１７４ａ，１７４ｂおよび第２トーションスプリング２７４ａ，２７４ｂの形状（トーションスプリングの全長や線間距離等）と、第１トーションスプリング１７４ａ，１７４ｂおよび第２トーションスプリング２７４ａ，２７４ｂの捩り剛性とを変更するだけで、トリリニア型の捩り特性を容易に設定することができる。
【００８６】
また、本ロックアップ装置７では、複数の第１トーションスプリング１７４ａ，１７４ｂそれぞれの捩り剛性を同じに設定し、複数の第１トーションスプリング１７４ａ，１７４ｂそれぞれの内周部に配置された第２トーションスプリング２７４ａ，２７４ｂの捩り剛性を第１トーションスプリング１７４ａ，１７４ｂの捩り剛性より小さく設定することにより、第２トーションスプリング２７４ａ，２７４ｂが捩り特性に寄与したときの捩り剛性を、穏やかに変更することができる。すなわち、捩り剛性が急激に変化しない多段特性を、形成することができる。
【００８７】
さらに、本ロックアップ装置７では、回転規制手段７２ｅ、７３ｃによって、３段目の捩り特性の上限が、設定される。このように、回転規制手段７２ｅ、７３ｃによって３段目の捩り特性の上限を設定することにより、捩り角度θが所定の大きさ以上になったときに、トルクを、入力側から出力側へと確実に伝達することができる。
【００８８】
［スプリングホルダーの有利な効果］
本スプリングホルダー７５では、外周側支持部１７５ａの外周端が係合部から回転方向に離反するにつれて、外周側支持部１７５ａの外周端の曲率が連続的に小さくなっているので、遠心力の発生に伴いスプリングホルダー７５に発生し得る応力集中を、低減することができる。特に、外周側支持部１７５ａの回転方向中央部においては、外周側支持部１７５ａの外周端が平面形状に形成されているので、遠心力の発生に伴いスプリングホルダー７５に発生し得る応力集中を、確実に低減することができる。
【００８９】
また、本スプリングホルダー７５では、スプリングホルダー７５の外周側支持部１７５ａの外周端の曲率の小さい部分や、外周側支持部１７５ａの回転方向中央部の平面部分から、ロックアップ装置７を容易に組み立てることができる。
【００９０】
また、本スプリングホルダー７５では、連結部１７５ｃが、ピストン７１と、トーションスプリング７４ａ，７４ｂとの軸方向間に配置されているので、連結部１７５ｃが座屈しづらくなり、スプリングホルダー７５の強度を向上することができる。
【００９１】
また、本スプリングホルダー７５では、内周側延長部１７５ｂが、連結部１７５ｃからトーションスプリング７４ａ，７４ｂ側に向けて湾曲した部分によって、座屈しづらくなり、スプリングホルダー７５の強度を向上することができる。また、内周側延長部１７５ｂは、トーションスプリング７４ａ，７４ｂの内周側から離反する方向に延びているので、スプリングホルダー７５の半径方向の曲げ剛性を、増大することができる。
【００９２】
さらに、本スプリングホルダー７５では、スプリングホルダー７５の係合部２７５には、湾曲部２７５ａの両端部を内方に折り曲げた係止部２７５ｂ，２７５ｃが形成されているので、この係止部２７５ｂ，２７５ｃをトーションスプリング７４ａ，７４ｂは確実に係止することができる。また、係止部２７５ｂ，２７５ｃは、湾曲部２７５ａの両端部を内方に折り曲げることにより形成されているので、係止部２７５ｂ，２７５ｃが座屈しづらくなり、スプリングホルダー７５の強度を向上することができる。そして、係止部２７５ｂ，２７５ｃの半径方向の曲げ剛性を、増大することができる。
【００９３】
［他の実施形態］
（ａ）前記実施形態では、第２トーションスプリング２７４ａの線間密着によって、第２の圧縮状態Ｊ２から第３の圧縮状態Ｊ３へと移行する場合の例を示したが、このような圧縮状態の移行は、第１トーションスプリング１７４ａ，１７４ｂの線間密着によっても実現することができる。たとえば、対をなす第１トーションスプリング１７４ａ，１７４ｂのいずれか一方の捩り剛性と、対をなす第１トーションスプリング１７４ａ，１７４ｂのいずれか他方の捩り剛性とを、異なる剛性に設定する。そして、第２の圧縮状態Ｊ２において、対をなす第１トーションスプリング１７４ａ，１７４ｂのいずれか一方に線間密着を発生させることにより、圧縮状態を、第２の圧縮状態Ｊ２から第３の圧縮状態Ｊ３へと移行することができる。すなわち、捩り特性の第３勾配Ｄ３を設定することができる。このようにしても、トリリニア型の捩り特性を、設定することができる。
【産業上の利用可能性】
【００９４】
本発明は、トルクを伝達するとともに捩り振動を吸収・減衰するためのトルクコンバータのロックアップ装置に、利用可能である。
【符号の説明】
【００９５】
７  ロックアップ装置
７１  ピストン
７２  ドライブプレート
７３  ドリブンプレート
７４，７４ａ，７４ｂ  トーションスプリング
１７４，１７４ａ，１７４ｂ  第１トーションスプリング
２７４，２７４ａ，２７４ｂ  第２トーションスプリング
７５  スプリングホルダー
１７５  支持部
１７５ａ  外周側支持部
１７５ｃ  側面支持部
１７５ｂ  内周側延長部
２７５  係合部
２７５ａ  湾曲部
２７５ｂ，２７５ｃ  係止部
７２ｅ，７３ｃ  回転規制手段
Ｄ１  捩り特性の第１勾配
Ｄ２  捩り特性の第２勾配
Ｄ３  捩り特性の第３勾配